(57)【要約】【課題】大便器のリム上面に除菌水のミストを噴霧したときに、大便器外への漏水を抑制することができるトイレ装置を提供することを目的とする。【解決手段】ボウル部とリム上面とを有する大便器と、リム上面に載置される便座装置と、を備え、便座装置は、リム上面の後部に載置される本体部と、本体部内に設けられ除菌水を生成する除菌装置と、本体部内または本体部の下方に設けられボウル部内及びリム上面に除菌水を噴霧する噴霧装置と、噴霧装置を制御する制御装置と、を有し、リム上面は、本体部が載置されない非載置部と、非載置部よりも後方に位置し本体部が載置される載置部と、を有し、噴霧装置は、非載置部に着水する除菌水の単位面積あたりの平均着水量が、載置部に着水する除菌水の単位面積あたりの平均着水量よりも多くなるように除菌水を噴出することを特徴とするトイレ装置が提供される。【選択図】図３０
2019170525.tif 000002
【特許請求の範囲】
【請求項１】
汚物を受けるボウル部と、前記ボウル部の上に位置するリム上面と、を有する大便器と、
前記リム上面に載置される便座装置と、
を備え、
前記便座装置は、
前記リム上面の後部に載置される本体部と、
前記本体部内に設けられ、除菌水を生成する除菌装置と、
前記本体部内または前記本体部の下方に設けられ、前記ボウル部内及び前記リム上面に前記除菌水を噴霧する噴霧装置と、
前記噴霧装置を制御する制御装置と、
を有し、
前記リム上面は、前記本体部が載置されない非載置部と、前記非載置部よりも後方に位置し前記本体部が載置される載置部と、を有し、
前記噴霧装置は、前記非載置部に着水する前記除菌水の単位面積あたりの平均着水量が、前記載置部に着水する前記除菌水の単位面積あたりの平均着水量よりも多くなるように、前記除菌水を噴出することを特徴とするトイレ装置。
【請求項２】
前記大便器内に向けて送風し、上昇気流を発生させる送風装置をさらに備え、
前記噴霧装置は、上面視において前記噴霧装置よりも前記載置部側に噴出する除菌水を前記上昇気流に乗らない大きさで形成し、上面視において前記噴霧装置よりも前記非載置部側に噴出する除菌水を前記上昇気流に乗る大きさで形成することを特徴とする請求項１記載のトイレ装置。
【請求項３】
前記大便器内に向けて送風し、上昇気流を発生させる送風装置をさらに備え、
前記噴霧装置は、上面視において前記噴霧装置よりも前記載置部側に噴出する除菌水をシャワー状、膜状、又は、第１粒径のミスト状とし、上面視において前記噴霧装置よりも前記非載置部側に噴出する除菌水を第１粒径よりも小さい第２粒径のミスト状とすることを特徴とする請求項１記載のトイレ装置。
【請求項４】
前記噴霧装置は、
前記ボウル部内の前記載置部側に前記除菌水を着水させる第１吐水部と、
前記非載置部に前記除菌水を着水させる第２吐水部と、
を有し、
前記第２吐水部は、前記第１吐水部よりも上方に配置されることを特徴とする請求項１〜３のいずれか１つに記載のトイレ装置。
【請求項５】
前記第２吐水部は、前記本体部の内部に配置され、
前記第１吐水部は、前記本体部の下方に突出するように配置されることを特徴とする請求項４記載のトイレ装置。
【発明の詳細な説明】
【技術分野】
【０００１】
本発明の態様は、一般的に、トイレ装置に関する。
【背景技術】
【０００２】
特許文献１に記載のミスト洗浄装置付き便器においては、０．１〜５０μｍ程度のオゾン水や電解殺菌水、高温水のミストが噴霧される。特許文献２では、ミスト洗浄装置が発生するミストを、便器、便座及び便蓋などの隅々まで行きわたらせて洗浄することができる。
【先行技術文献】
【特許文献】
【０００３】
【特許文献１】特開２００７−１３８６０５号公報
【発明の概要】
【発明が解決しようとする課題】
【０００４】
例えば、便座装置の本体部は、大便器のリム上面の上に載置される。このとき、便座装置の本体部とリム上面との間に隙間が生じる。ここで、大便器のリム上面にも除菌水のミストが着水するように除菌水のミストを噴霧すると、便座装置の本体部とリム上面との間の隙間に除菌水のミストが入り込むことがある。
【０００５】
便座装置の本体部とリム上面との間の隙間は、使用者が目視しにくい部位であり、且つ拭き取りが容易ではない部位である。そのため、この隙間に入り込んだミストが凝集し大きな水滴又は水膜となって、大便器外へ垂れる漏水が発生することがある。
【０００６】
本発明は、かかる課題の認識に基づいてなされたものであり、大便器のリム上面に除菌水のミストを噴霧したときに、大便器外への漏水を抑制することができるトイレ装置を提供することを目的とする。
【課題を解決するための手段】
【０００７】
第１の発明は、汚物を受けるボウル部と、前記ボウル部の上に位置するリム上面と、を有する大便器と、前記リム上面に載置される便座装置と、を備え、前記便座装置は、前記リム上面の後部に載置される本体部と、前記本体部内に設けられ、除菌水を生成する除菌装置と、前記本体部内または前記本体部の下方に設けられ、前記ボウル部内及び前記リム上面に前記除菌水を噴霧する噴霧装置と、前記噴霧装置を制御する制御装置と、を有し、前記リム上面は、前記本体部が載置されない非載置部と、前記非載置部よりも後方に位置し前記本体部が載置される載置部と、を有し、前記噴霧装置は、前記非載置部に着水する前記除菌水の単位面積あたりの平均着水量が、前記載置部に着水する前記除菌水の単位面積あたりの平均着水量よりも多くなるように、前記除菌水を噴出することを特徴とするトイレ装置である。
【０００８】
このトイレ装置によれば、載置部に比べて多くの除菌水を非載置部に着水させることで、非載置部における菌や汚れの発生を抑制できる。非載置部は、載置部に比べて空気が滞留しにくいため乾燥しやすい部位であり、且つ、使用者が見易く拭き取りが容易な部位である。そのため、リム上面の非載置部に除菌水が着水しても、知らず知らずのうちに、非載置部において除菌水が凝集し大きな水滴又は水膜となって、大便器の外へ垂れる可能性は低い。  
また、載置部に着水する除菌水が比較的少ないことにより、知らず知らずのうちに、載置部において除菌水が凝集し大きな水滴又は水膜となって、大便器の外へ垂れることを抑制することができる。以上により、大便器のリム上面に除菌水のミストを噴霧したときに、大便器外への漏水を抑制することができる。
【０００９】
第２の発明は、第１の発明において、前記大便器内に向けて送風し、上昇気流を発生させる送風装置をさらに備え、前記噴霧装置は、上面視において前記噴霧装置よりも前記載置部側に噴出する除菌水を前記上昇気流に乗らない大きさで形成し、上面視において前記噴霧装置よりも前記非載置部側に噴出する除菌水を前記上昇気流に乗る大きさで形成することを特徴とするトイレ装置である。
【００１０】
このトイレ装置によれば、噴霧装置から非載置部側に噴出された除菌水は上昇気流に乗るため、非載置部に多くの除菌水を着水させることができる。噴霧装置から載置部側に噴出された除菌水は上昇気流に乗らないため、載置部に除菌水が着水することを抑制することができる。
【００１１】
第３の発明は、第１の発明において、前記大便器内に向けて送風し、上昇気流を発生させる送風装置をさらに備え、前記噴霧装置は、上面視において前記噴霧装置よりも前記載置部側に噴出する除菌水をシャワー状、膜状、又は、第１粒径のミスト状とし、上面視において前記噴霧装置よりも前記非載置部側に噴出する除菌水を第１粒径よりも小さい第２粒径のミスト状とすることを特徴とするトイレ装置である。
【００１２】
このトイレ装置によれば、噴霧装置から非載置部側に噴出された除菌水は、載置部側に噴出された除菌水よりも上昇気流に乗りやすい。逆に、噴霧装置から載置部側に噴出された除菌水は、非載置部側に噴出された除菌水よりも上昇気流に乗りにくい。これにより、非載置部に多くの除菌水を着水させつつ、載置部に除菌水が着水することを抑制することができる。
【００１３】
第４の発明は、第１〜第３のいずれか１つの発明において、前記噴霧装置は、前記ボウル部内の前記載置部側に前記除菌水を着水させる第１吐水部と、前記非載置部に前記除菌水を着水させる第２吐水部と、を有し、前記第２吐水部は、前記第１吐水部よりも上方に配置されることを特徴とするトイレ装置である。
【００１４】
噴霧装置は、大便器の後部に載置された本体部の内部又は下方に設けられている。また、噴霧装置から噴出された除菌水は、自重によって徐々に落下する。そのため、リム上面の非載置部に除菌水を着水させるためには、高い位置から除菌水を噴出することが望ましい。本発明においては、非載置部に除菌水を着水させる第２吐水部が、第１吐水部よりも上方に配置されていることにより、より確実にリム上面の非載置部に除菌水を着水させることができる。一方、載置部に除菌水を着水することを抑制するためには、低い位置から除菌水を噴出することが望ましい。本発明においては、ボウル部内の載置部側に除菌水を着水させる第１吐水部が、第２吐水部よりも下方に配置されていることにより、載置部に除菌水が着水することをより抑制することができる。
【００１５】
第５の発明は、第４の発明において、前記第２吐水部は、前記本体部の内部に配置され、前記第１吐水部は、前記本体部の下方に突出するように配置されることを特徴とするトイレ装置である。
【００１６】
第２吐水部は、使用者が触れる可能性があるリム上面の非載置部に除菌水を着水させるため、清潔であることが望まれる。このトイレ装置によれば、第２吐水部が本体部の内部に配置されることにより、第２吐水部に汚物が付着することを防ぎ、第２吐水部の清潔性を確保することができる。また、第１吐水部を本体部の下方に突出するように配置することにより、第１吐水部を低い位置に配置することができ、載置部に除菌水が着水することをより抑制することができる。なお、第１吐水部は、使用者が触れる可能性の低いボウル部内の載置部側に除菌水を着水させるため、第２吐水部に比べて清潔性が問題になりにくい。
【発明の効果】
【００１７】
本発明の態様によれば、大便器のリム上面に除菌水のミストを噴霧したときに、大便器外への漏水を抑制することができるトイレ装置が提供される。
【図面の簡単な説明】
【００１８】
【図１】実施形態に係るトイレ装置を例示する斜視図である。
【図２】実施形態に係るトイレ装置の一部を例示する断面図である。
【図３】図３（ａ）及び図３（ｂ）は、実施形態に係るトイレ装置の一部を例示する模式図である。
【図４】実施形態に係る便座装置の要部構成を例示するブロック図である。
【図５】図５（ａ）〜図５（ｅ）は、実施形態に係るトイレ装置を例示する平面図及び斜視図である。
【図６】図６（ａ）〜図６（ｃ）は、実施形態に係る噴霧装置を例示する模式図である。
【図７】実施形態の変形例に係るトイレ装置の一部を例示する断面図である。
【図８】図８（ａ）〜図８（ｃ）は、実施形態に係る別のトイレ装置を例示する斜視図である。
【図９】実施形態に係る便座装置の動作を例示するフローチャートである。
【図１０】図１０（ａ）及び図１０（ｂ）は、実施形態に係る便座装置の動作を例示する模式図である。
【図１１】実施形態に係る便座装置のプレミストモードにおける動作を例示する断面図である。
【図１２】実施形態に係る噴霧装置が噴霧するミストを例示する模式図である。
【図１３】ミストの直進状態を説明するための模式図である。
【図１４】実施形態に係る便座装置のプレミストモードにおける動作を例示する断面図である。
【図１５】図１５（ａ）〜図１５（ｃ）は、非洗浄領域の上部領域及び下部領域に直接着水するミストの単位面積あたりの平均着水量の測定方法を説明するための模式図である。
【図１６】図１６（ａ）及び図１６（ｂ）は、実施形態に係る大便器の前端側非洗浄領域を例示する断面図である。
【図１７】図１７（ａ）及び図１７（ｂ）は、便座装置のプレミストモード及びオート便蓋開モードにおける動作を例示する断面図である。
【図１８】実施形態に係る便座装置のプレミストモードにおける動作を例示するタイミングチャートである。
【図１９】図１９（ａ）及び図１９（ｂ）は、実施形態に係る便座装置のプレミストモードにおける動作を例示する平面図である。
【図２０】図２０（ａ）及び図２０（ｂ）は、実施形態に係る便座装置のアフターミストモード又は手動ミストモードにおける動作を例示する断面図である。
【図２１】実施形態に係る便座装置のアフターミストモードにおける動作を例示するフローチャートである。
【図２２】実施形態に係る便座装置のアフターミストモードにおける別の動作を例示するフローチャートである。
【図２３】実施形態に係る便座装置のアフターミストモードにおける別の動作を例示するフローチャートである。
【図２４】図２４（ａ）及び図２４（ｂ）は、実施形態に係る便座装置のプレミストモード及びアフターミストモードにおける動作を例示する断面図である。
【図２５】図２５（ａ）及び図２５（ｂ）は、実施形態に係る便座装置のプレミストモードにおける別の動作を例示する断面図である。
【図２６】図２６（ａ）及び図２６（ｂ）は、実施形態に係る大便器及び便座を例示する平面図である。
【図２７】図２７（ａ）及び図２７（ｂ）は、実施形態に係る便座装置のアフターミストモード又は手動ミストモードにおける動作を例示する断面図である。
【図２８】図２８（ａ）及び図２８（ｂ）は、実施形態に係る便座装置のアフターミストモード又は手動ミストモードの第２工程における動作を例示する断面図である。
【図２９】実施形態に係るトイレ装置を例示する平面図である。
【図３０】実施形態に係る便座装置のアフターミストモード又は手動ミストモードにおける動作を例示する断面図である。
【図３１】図３１（ａ）及び図３１（ｂ）は、実施形態に係る便座装置のアフターミストモード又は手動ミストモードにおける動作を例示する斜視図である。
【図３２】実施形態に係る便座装置の手動ミストモードにおける動作を例示するフローチャートである。
【図３３】実施形態に係る便座装置の手動ミストモードにおける別の動作を例示するフローチャートである。
【図３４】図３４（ａ）及び図３４（ｂ）は、実施形態に係る粒径の測定方法を例示する斜視図である。
【発明を実施するための形態】
【００１９】
以下、本発明の実施の形態について図面を参照しつつ説明する。なお、各図面中、同様の構成要素には同一の符号を付して詳細な説明は適宜省略する。  
図１は、実施形態に係るトイレ装置を例示する斜視図である。  
図１に表したトイレ装置１０は、洋式腰掛便器（以下説明の便宜上、単に「大便器」と称する）８００と、便座装置１００と、を備える。大便器８００は、汚物を受ける凹状のボウル部８０１を有する。便座装置１００は、大便器８００の上部に設置されている。
【００２０】
便座装置１００は、ケーシング４００（本体部）と、使用者が着座する着座部２００（便座）と、便蓋３００と、を有する。着座部２００と便蓋３００とは、それぞれ、ケーシング４００に対して開閉自在に軸支されている。図１の状態は、着座部２００が閉じた状態（下げられた状態）であり、便蓋３００が開いた状態（上げられた状態）である。便蓋３００は、閉じた状態では、着座部２００の座面を上方から覆う。
【００２１】
ケーシング４００の内部には、着座部２００に座った使用者の人体局部（「おしり」など）の洗浄を実現する身体洗浄機能部などが内蔵されている。また、例えばケーシング４００には、使用者が着座部２００に座ったことを検知する着座検知センサ４０４が設けられている。着座検知センサ４０４が着座部２００に座った使用者を検知している場合において、使用者が例えばリモコンなどの手動操作部５００を操作すると、洗浄ノズル（以下説明の便宜上、単に「ノズル」と称する）４７３を大便器８００のボウル部８０１内に進出させることができる。なお、図１に表した便座装置１００では、ノズル４７３がボウル部８０１内に進出した状態を表している。
【００２２】
ノズル４７３の先端部には、ひとつ又は複数の吐水口４７４が設けられている。そして、ノズル４７３は、その先端部に設けられた吐水口４７４から水を噴射して、着座部２００に座った使用者の「おしり」などを洗浄することができる。  
なお、本願明細書において、「上方」、「下方」、「前方」、「後方」、「左側方」及び「右側方」のそれぞれは、開いた便蓋３００に背を向けて着座部２００に座った使用者から見た方向である。
【００２３】
図２は、実施形態に係るトイレ装置の一部を例示する断面図である。  
図２に示すように、ボウル部８０１の上部は、リム部８０５となっている。リム部８０５は、大便器８００の上縁部を形成する環状部分である。ボウル部８０１内には、溜水８０１ｗが溜められている。
【００２４】
また、大便器８００は、ボウル部８０１の上に位置するリム上面８０６を有する。リム上面８０６は、リム部８０５の上面であり、例えば、閉じられた着座部２００の裏面２０４と向き合う。
【００２５】
図３（ａ）及び図３（ｂ）は、実施形態に係るトイレ装置の一部を例示する模式図である。  
図３（ａ）は、大便器８００を例示する斜視図であり、図３（ｂ）は、大便器８００を例示する平面図である。大便器８００は、リム部８０５に設けられた吐水口８１１を有する。吐水口８１１は、汚物（例えば使用者の排泄物等）をボウル部８０１内から排出するための洗浄水を、ボウル部８０１内に吐水する。
【００２６】
例えば、使用者が、リモコン等に設けられたスイッチによって便器洗浄の操作を行うと、または、使用者が着座部２００から立ち上がると、吐水口８１１からボウル部８０１内に洗浄水を供給する便器洗浄が実行される。これにより、ボウル部８０１内の汚物が排出され、ボウル部８０１の表面が洗浄される。
【００２７】
図３（ａ）に示す矢印Ａ５のように、吐水口８１１は、後方に向けて洗浄水を吐出する。吐水口８１１から吐出された洗浄水は、リム部８０５に沿って設けられた棚状部８０５Ｂの上を流れ、図３（ｂ）に示すように、ボウル部８０１内を旋回する旋回流ＳＦを形成する。
【００２８】
ボウル部８０１は、洗浄水が通る洗浄領域８０１Ａと、洗浄領域８０１Ａよりも上かつリム上面８０６よりも下に位置する非洗浄領域８０１Ｂと、を有する。洗浄領域８０１Ａは、ボウル部８０１の内面のうち、洗浄水が通過して濡れる領域である。非洗浄領域８０１Ｂは、ボウル部８０１の内面のうち、洗浄水が通過しない領域である。図３（ｂ）のように、上方から見たときに、非洗浄領域８０１Ｂは、リム部８０５に沿って概ね環状であり、その内側に洗浄領域８０１Ａが位置する。
【００２９】
例えば、図２に示すように、洗浄領域８０１Ａは、棚状部８０５Ｂから下の領域であり、非洗浄領域８０１Ｂは、棚状部８０５Ｂの上に位置するリム部８０５の立面（リム部内壁面）を含む。
【００３０】
なお、実施形態において、洗浄水は旋回流ＳＦを形成する形態でなくてもよい。例えば、吐水口８１１は、リム部８０５から下方に向けて洗浄水を吐水してもよい。このような場合でも、ボウル部８０１は、洗浄水が通る洗浄領域と、リム上面と洗浄領域との間に位置し洗浄水が通らない非洗浄領域と、を有する。
【００３１】
図４は、実施形態に係る便座装置の要部構成を例示するブロック図である。  
なお、図４は、水路系と電気系の要部構成を併せて表している。  
便座装置１００は、電磁弁４３１、除菌装置４５０、切替弁４７２、噴霧装置４８１、ノズルモータ４７６、ノズル４７３、ノズル洗浄室４７８、及び流路１１０〜１１３などを有する。これらは、例えばケーシング４００内に配置されている。
【００３２】
流路１１０は、水道や貯水タンクなどの図示しない給水源から供給された水を噴霧装置４８１やノズル４７３などに導くための流路である。流路１１０の上流側には、電磁弁４３１が設けられている。電磁弁４３１は、開閉可能な電磁バルブであり、ケーシング４００の内部に設けられた制御装置４０５からの指令に基づいて水の供給を制御する。
【００３３】
流路１１０上において、電磁弁４３１の下流には、除菌水を生成する除菌装置４５０が設けられている。除菌装置４５０は、例えば次亜塩素酸などを含む除菌水を生成する。除菌装置４５０としては、例えば、電解槽ユニットが挙げられる。電解槽ユニットは、制御装置４０５からの通電の制御によって、陽極板（図示せず）と陰極板（図示せず）との間の空間（流路）を流れる水道水を電気分解する。なお、除菌水は、次亜塩素酸を含むものには限定されない。例えば、除菌水は、銀イオンや銅イオンなどの金属イオンを含む溶液、電解塩素やオゾンなどを含む溶液、酸性水、または、アルカリ水などでもよい。除菌装置４５０は電解槽に限らず、除菌水を生成可能な任意の構成でよい。
【００３４】
流路１１０上において、除菌装置４５０の下流には、切替弁４７２が設けられている。切替弁４７２の下流には、ノズル４７３、ノズル洗浄室４７８及び噴霧装置４８１が設けられている。流路１１０は、切替弁４７２により、ノズル４７３へ水を導く流路１１１、ノズル洗浄室４７８へ水を導く流路１１２、および、噴霧装置４８１へ水を導く流路１１３に分岐している。切替弁４７２は、制御装置４０５からの指令に基づいて、流路１１１、流路１１２および流路１１３のそれぞれの開閉を制御する。つまり、切替弁４７２は、ノズル４７３、ノズル洗浄室４７８および噴霧装置４８１への水の供給を制御する。また、切替弁４７２は、その下流に供給する水の流量を切り替える。
【００３５】
ノズル４７３は、ノズルモータ４７６からの駆動力を受け、便器８００のボウル部８０１内に進出したり後退したりする。つまり、ノズルモータ４７６は、制御装置４０５からの指令に基づいてノズル４７３を進退させる。ノズル４７３は、非使用時には、ケーシング４００内に収納されている。ノズル４７３は、ケーシング４００から前方へ進出した状態で、吐水口４７４から水を吐出して、人体局部を洗浄する。
【００３６】
ノズル洗浄室４７８は、その内部に設けられた吐水口から除菌水あるいは水道水を噴射することにより、ノズル４７３の外周表面（胴体）を洗浄する。
【００３７】
噴霧装置４８１は、水道水又は除菌装置４５０で生成された除菌水をミスト状にする。噴霧装置４８１は、ボウル部８０１、リム部８０５、及び着座部２００などに、ミストＭ（除菌水のミスト又は水道水のミスト）を噴霧する。言い換えれば、噴霧装置４８１は、除菌水のミスト又は水道水のミストを、ボウル部８０１、リム部８０５、及び着座部２００などに着水させる。なお、本願明細書において「着水」とは、水（除菌水又は水道水）が物体の表面に付着することをいう。特に「直接着水」という場合には、水（除菌水又は水道水の微粒子ｐ）が空中から物体の表面に到着することを意味する。
【００３８】
また、ケーシング４００の内部には、便座用モータ５１１（回動装置）、便蓋用モータ５１２（回動装置）、送風装置５１３および温風ヒータ５１４が設けられている。  
便座用モータ５１１は、制御装置４０５からの指令に基づいて、電動で着座部２００を回動させ開閉する。便蓋用モータ５１２は、制御装置４０５からの指令に基づいて、電動で便蓋３００を回動させ開閉する。
【００３９】
送風装置５１３は、例えばケーシング４００の内部に設けられたファンである。送風装置５１３は、制御装置４０５からの指令に基づいて動作する。例えば、送風装置５１３のモータの回転に伴い羽根が回転する。これにより、送風装置５１３は、大便器８００内（例えばボウル部８０１内）に向けて送風することができる。また、送風装置５１３は、着座部２００に座った使用者の局部に送風してもよい。温風ヒータ５１４は、送風装置５１３によってケーシング４００の外部へ送られる空気を温める。これにより、使用者の局部に向けて温風を送り、局部を乾燥させることができる。
【００４０】
便座ヒータ５１５（乾燥装置）は、例えば、着座部２００の内部に設けられている。便座ヒータ５１５は、例えば、着座部２００の中央に形成された開口２００ａ（図１）の周りに沿って設けられた環状の金属部材を有する。制御装置４０５からの指令に基づいて便座ヒータ５１５に通電が行われることで、便座ヒータ５１５は、着座部２００を温める。便座ヒータ５１５としては、例えば、チュービングヒータや、シーズヒータ、ハロゲンヒータ、カーボンヒータなどを用いてもよい。金属部材は、例えば、アルミニウムや銅などで構成される。また、金属部材の形状は、シート状やワイヤ状、メッシュ状など、種々の形状を採用することができる。
【００４１】
制御装置４０５には、図示しない電源回路から電力を供給される回路が用いられる。例えば、制御装置４０５は、マイコンなどの集積回路を含む。制御装置４０５は、使用者を検知する検知センサ４０２（例えば人体検知センサ４０３又は着座検知センサ４０４）の検知情報または、手動操作部５００の操作情報に基づいて、電磁弁４３１、除菌装置４５０、切替弁４７２、ノズルモータ４７６、噴霧装置４８１、送風装置５１３、温風ヒータ５１４、便座ヒータ５１５、便座用モータ５１１、及び便蓋用モータ５１２を制御する。
【００４２】
手動操作部５００は、使用者が例えば任意のタイミングで除菌水の噴霧を行うための操作部である。例えば、手動操作部５００は、スイッチ又はボタンなどを有するリモコンであり、使用者が手動操作部５００を操作すると、除菌水の噴霧を指示する操作情報（信号）が制御装置４０５に送られる。制御装置４０５は、その操作情報に基づいて除菌装置４５０や噴霧装置４８１を制御する。これにより、使用者は、手動操作部５００を操作することで、除菌水の噴霧を行うことができる。  
また、手動操作部５００は、除菌水の噴霧だけでなく、使用者が便座装置１００の各機能を操作するためのスイッチやボタンなどを有していてもよい。各機能に対応した操作が行われると、その操作情報が制御装置４０５に送られ、制御装置４０５は、その操作情報に基づいて、便座装置１００の各部の動作を制御する。
【００４３】
着座検知センサ４０４は、使用者の着座部２００への着座状態（着座の有無）を検知することができる。着座検知センサ４０４は、使用者の着座及び離座を検知する。着座検知センサ４０４には、マイクロ波センサ、測距センサ（赤外線投光式センサ）、超音波センサ、タクトスイッチ、静電容量スイッチ（タッチセンサ）、または歪みセンサを用いることができる。この例では、着座検知センサ４０４には、ケーシング４００に設けられた測距センサが用いられている。
【００４４】
なお、タクトスイッチ、静電センサ及び歪みセンサなどの接触式センサを用いる場合には、これらの接触式センサは、着座部２００に設けられる。着座部２００に使用者が座ると、使用者の体重によってタクトスイッチが押下される。または、使用者が静電センサに接触する。または、使用者の体重によって歪みセンサに圧力が加えられる。これらのセンサからの電気信号により、使用者の着座を検知することができる。
【００４５】
人体検知センサ４０３は、大便器８００の前方にいる使用者、すなわち着座部２００から前方へ離間した位置に存在する使用者を検知することができる。つまり、人体検知センサ４０３は、トイレ室に入室して着座部２００に近づいてきた使用者を検知することができる。このような人体検知センサとして、例えば、焦電センサ、マイクロ波センサ、超音波センサ、または測距センサ（赤外線投光式センサ）を用いることができる。この例では、人体検知センサ４０３には、ケーシングに設けられた焦電センサが用いられている。また、人体検知センサ４０３は、トイレ室のドアを開けて入室した直後の使用者や、トイレ室に入室する直前の使用者、すなわちトイレ室に入室しようとしてドアの前に存在する使用者を検知してもよい。例えば、マイクロ波センサを用いた場合には、トイレ室のドア越しに使用者の存在を検知することが可能となる。
【００４６】
制御装置４０５は、人体検知センサ４０３の検知情報（使用者の存在の有無を示す信号）や、着座検知センサ４０４の検知情報（使用者の着座の有無を示す信号）を受信し、受信した検知情報に基づいて、便座装置１００の各部の動作を制御する。
【００４７】
制御装置４０５は、アフターミストモード、プレミストモード、及び手動ミストモードの３種類のミストモードを実行可能である。  
アフターミストモードは、例えば、使用者のトイレ装置１０の使用後に、検知センサ４０２の検知情報に基づいて、除菌水のミストを自動で噴霧する動作モードである。プレミストモードは、例えば、使用者のトイレ装置１０の使用前に、検知センサ４０２の検知情報に基づいて、除菌水又は水道水のミストを自動で噴霧する動作モードである。手動ミストモードは、手動操作部５００の操作情報に基づいて、除菌水のミストを噴霧する動作モードである。
【００４８】
図５（ａ）〜図５（ｅ）は、実施形態に係るトイレ装置を例示する平面図及び斜視図である。  
図５（ａ）は、トイレ装置１０の一部を前方から見た状態を示す。  
図５（ｂ）は、図５（ａ）の一部を拡大して表す。なお、図５（ｂ）では、見易さのため、噴霧装置４８１の前方に位置するケーシング４００の一部を省略している。  
噴霧装置４８１、ノズルダンパ４７９、及び送風ダンパ５１６は、便座装置１００が大便器８００の上部に設置された状態において、ボウル部８０１の後方側上部に位置する。
【００４９】
ノズルダンパ４７９は、ケーシング４００に対して回動可能に軸支されている。ノズル４７３は、ケーシング４００の内部に後退している状態では、ノズルダンパ４７９の後方に位置する。人体局部の洗浄時等において、ノズル４７３は、ノズルダンパ４７９に当接し、ノズルダンパ４７９を回動させて開き、ケーシング４００の内部から進出する。
【００５０】
図５（ｃ）〜図５（ｅ）は、ノズルダンパ４７９及び送風ダンパ５１６の周辺を拡大して表す斜視図である。  
送風ダンパ５１６は、ケーシング４００に対して回動可能に軸支されている。送風ダンパ５１６の後方には、送風装置５１３が配置されている。送風ダンパ５１６は、ケーシング４００の開口５１６ａを覆う。送風装置５１３から送られた空気は、開口５１６ａを通って、大便器８００内へ送られる。
【００５１】
図５（ｃ）は、送風装置５１３が動作を停止した状態であり、図５（ｄ）及び図５（ｅ）は、送風装置５１３が作動し、ボウル部８０１内に向けて送風している状態を示す。  
図５（ｃ）に示すように、送風が停止した状態においては、送風ダンパ５１６は、閉じている。  
図５（ｄ）に示すように、送風装置５１３が作動すると、送風ダンパ５１６は、送風装置５１３から送られる空気の圧力（風圧）により回動して開く。これにより、送風装置５１３は、例えば矢印Ａ１のように、ボウル部８０１内の後方上部からボウル部８０１内の前方下部へ向けて送風する。  
図５（ｅ）の状態においては、図５（ｄ）の状態に比べて、送風装置５１３が送る風量が多い（又は風速が高い）。この場合には、送風ダンパ５１６は、図５（ｄ）の状態に比べて、さらに回動して開く。これにより、送風装置５１３は、例えば矢印Ａ２のように、ボウル部８０１内の後方上部からボウル部８０１内の前方上部へ向けて送風する。
【００５２】
このように、送風装置５１３から送られる風の方向は、送風ダンパ５１６によって変化する。言い換えれば、送風装置５１３は、風量（風速）によって送風方向を制御することができる。送風装置５１３からの送風によって生じる気流に、噴霧装置４８１から噴霧されたミストを乗せることで、ミストが着水する範囲、及び、各範囲におけるミストの着水量（各範囲に着水する除菌水又は水道水の量）を制御してもよい。
【００５３】
図６（ａ）〜図６（ｃ）は、実施形態に係る噴霧装置を例示する模式図である。  
図６（ａ）は、噴霧装置４８１の斜視図であり、図６（ｂ）は、噴霧装置４８１の側面図である。  
噴霧装置４８１は、モータ４８１ａと、モータ４８１ａの下方に接続されたディスク４８１ｂと、を有する。モータ４８１ａの回転は、制御装置４０５によって制御される。モータ４８１ａが回転すると、回転の駆動力がディスク４８１ｂに伝達され、ディスク４８１ｂが回転する。
【００５４】
図６（ｂ）に示すように、ディスク４８１ｂの上面には、水Ｗ（水道水又は除菌装置４５０で生成された除菌水）が供給される。ディスク４８１ｂの回転中に、水Ｗが供給されることで、噴霧装置４８１は、水Ｗをミスト状にして噴霧する。
【００５５】
図６（ｃ）は、ディスク４８１ｂの一部を上方から見た拡大図である。回転するディスク４８１ｂの上面に滴下された水Ｗは、遠心力によって、ディスク４８１ｂ上で膜状に広がり、ディスク４８１ｂから放射される。このとき、水Ｗは、ディスク４８１ｂの縁付近から膜状のまま分裂したり、糸状となった後に分裂したりし、その後、微粒子ｐ（ミスト）となる。ディスク４８１ｂの回転速度、すなわち、モータ４８１ａの回転速度によって、ミストの粒径（微粒子ｐの径）を制御することができる。回転速度が高い程、ミストの粒径は小さくなる。例えば、回転速度が１０００（rotation per minute：ｒｐｍ）程度の低速回転、回転速度が１００００ｒｐｍ程度の中速回転、または、回転速度が２００００ｒｐｍ程度の高速回転が適宜用いられ、所望の粒径が得られる。また、給水口４８１ｃから噴霧装置４８１に供給される水Ｗの流量を調整することにより、ミストの粒径を制御することもできる。
【００５６】
なお、本願明細書において、粒径とは、トイレ装置１０に着水する前の空中に存在する微粒子ｐの粒径であり、例えばザウター平均粒径（総体積／総表面積）である。本願明細書における「粒径」の測定方法については、図３４に関して後述する。また、ミストとは、粒径が１０マイクロメートル（μｍ）以上３００μｍ以下の範囲をいう。ミストの粒径が１０μｍ未満であると、ボウル部８０１、リム部８０５、着座部２００などの対象部位を濡らすために長い時間が必要となってしまう。また、次亜塩素酸を含む除菌水を用いた場合、ミストの粒径が１０μｍ未満であると、ミスト中の次亜塩素酸の濃度が減衰しやすく、除菌性能が低下しやすい。一方、ミストの粒径が３００μｍより大きいと、ミストが拡散しにくく、広範囲にミストを噴霧することが困難となる。また、以下の説明において、大粒径のミストとは、粒径が１００μｍ以上３００μｍ以下、好ましくは１５０μｍ以上３００μｍ以下の範囲のミストであり、中粒径のミストとは、粒径が５０μｍ以上２００μｍ以下、好ましくは６０μｍ以上１５０μｍ以下の範囲のミストであり、小粒径のミストとは、粒径が１０μｍ以上１００μｍ以下、好ましくは１０μｍ以上６０μｍ以下の範囲のミストである。
【００５７】
例えば、給水口４８１ｃの位置や数、ディスク４８１ｂの回転方向（時計回り又は反時計回り）によって、噴霧装置４８１から大便器８００内へ向かって噴霧されるミストの粒径、流量、方向などを調整することも可能である。これにより、噴霧装置４８１から噴霧されたミストが着水する範囲、及び各範囲におけるミストの着水量を制御してもよい。また、ディスク４８１ｂの周囲に、ミストが噴霧される方向を制御するカバーなどを適宜設けてもよい。
【００５８】
図７は、実施形態の変形例に係るトイレ装置の一部を例示する断面図である。  
図７は、図５（ａ）に示すＡ−Ａ’線における断面を示す。  
図７に示すように、ケーシング４００には、スリットＳが設けられている。この例では、噴霧装置４８１はケーシング４００内に配置されており、スリットＳは、噴霧装置４８１の前方下部に位置する。例えば、スリットＳの上端面Ｓ１の高さ（上下方向における位置）は、ディスク４８１ｂの底面Ｂ１の高さと同じであり、上端面Ｓ１と底面Ｂ１とは同一平面上である。または、上端面Ｓ１は、底面Ｂ１よりも低くてもよい。
【００５９】
ディスク４８１ｂの上面は、水平から傾いており、ディスク４８１ｂは、ミストＭを水平よりも若干下方へ向けて噴霧する。ディスク４８１ｂから噴霧されたミストＭは、スリットＳを通過し、ボウル部８０１内へ向けて噴霧される。これにより、トイレ装置１０のデザイン性や清掃性を損ねることなく、尿などの汚れＹが噴霧装置４８１に付着することを防止することができる。なお、ディスク４８１ｂの形状は、平らな円板状でもよいし、適宜凹凸を設けたり、円錐形状や球体を用いたりしてもよい。これにより、ミストの噴霧方向や、ミストの粒径などを調節することもできる。
【００６０】
噴霧装置４８１は、便座装置１００が大便器８００の上部に設置された状態において、着座部２００の一部の下方に配置され（図２参照）、大便器８００内に向けてミストを噴霧する。
【００６１】
なお、実施形態において、噴霧装置は、図６及び図７に関して説明した装置に限らない。例えば、噴霧装置として、超音波霧化装置を用いてもよい。超音波霧化装置は、液体に超音波を照射することで、液体をミスト状にする。また、例えば、噴霧装置として２流体ノズルを用いてもよい。２流体ノズルは、気体と液体とを共に噴射することで、液体をミスト状にする。ただし、図６及び図７に関して説明した装置を用いた場合には、送風装置５１３によって噴霧範囲を制御しやすいメリットがある。また、目詰まりのリスクも低く、コンプレッサなどの付帯装置も不要である。
【００６２】
図８（ａ）〜図８（ｃ）は、実施形態に係る別のトイレ装置を例示する斜視図である。  この例では、噴霧装置４８１の前方にミストダンパ４８２が設けられている。ミストダンパ４８２は、閉じた状態において、噴霧装置４８１の前方のスリットＳを覆う。
【００６３】
ミストダンパ４８２は、例えばノズルダンパ４７９に対して固定されており、ノズルダンパ４７９と連動する。ノズルダンパ４７９が開くことでミストダンパ４８２も開き、ノズルダンパ４７９が閉じることでミストダンパ４８２も閉じる。
【００６４】
図８（ｂ）及び図８（ｃ）は、ノズルダンパ４７９及びミストダンパ４８２の周辺を拡大して表す。図８（ｂ）は、ノズル４７３がケーシング４００の内部に後退した状態である。このとき、ノズルダンパ４７９は、閉じた状態であり、ノズル４７３の前方を覆う。また、ミストダンパ４８２は、閉じた状態であり、スリットＳの前方を覆う。
【００６５】
噴霧装置４８１の不使用時には、図８（ｂ）のように、ミストダンパ４８２によって噴霧装置４８１をボウル部８０１側から隠蔽する。これにより、噴霧装置４８１に尿や汚れが付着することをより防止することができる。
【００６６】
図８（ｃ）は、ノズル４７３が前方へ進出し、ノズルダンパ４７９を回動させた状態である。このときのノズル４７３の前方への進出距離は、人体局部洗浄時の前方への進出距離よりも短くてよい。例えば、ノズル４７３の先端がノズルダンパ４７９に当接している。また、図８（ｃ）において、ミストダンパ４８２は、ノズルダンパ４７９と共に回動し、開いている。ミストダンパ４８２によって、ミストが噴霧される方向や範囲を制御してもよい。
【００６７】
図９は、実施形態に係る便座装置の動作を例示するフローチャートである。  
図１０（ａ）及び図１０（ｂ）は、実施形態に係る便座装置の動作を例示する模式図である。  
図１０（ｂ）には、除菌水又は水道水のミストが着水する対象部位（Ｐ１〜Ｐ４）を示す。図１０（ａ）は、各ミストモードにおける、各対象部位の着水量（単位面積あたりの着水量）の一例を、「大」、「中」、「小」、「極小」の４段階で示す。
【００６８】
制御装置４０５は、検知センサ４０２が使用者を検知していない状態から使用者を検知している状態となったときに、自動的に噴霧装置４８１を制御して、水道水のミスト又は除菌水のミストをボウル部８０１内に噴霧するプレミストモードを実行可能である。
【００６９】
例えば、図９に示すように、使用者がトイレ室に入室して、人体検知センサ４０３が使用者の入室を検知すると、使用者の入室を示す信号（検知情報）が制御装置４０５に送信される。制御装置４０５は、その信号に基づいて、自動的にプレミストモードを実行する。プレミストモードにおいて、制御装置４０５は、噴霧装置４８１に水道水のミストを噴霧させ、対象部位にミストを着水させる。プレミストモードにおける対象部位は、図１０（ａ）及び図１０（ｂ）に示すように、対象部位Ｐ３（ボウル部８０１の非洗浄領域８０１Ｂ）及び対象部位Ｐ４（ボウル部８０１の洗浄領域８０１Ａ）である。プレミストモードにおいては、着座部２００及びリム部８０５のリム上面８０６は、噴霧の対象部位ではない。
【００７０】
このように、プレミストモードにおいて噴霧装置４８１から噴霧されたミストは、洗浄領域８０１Ａだけでなく非洗浄領域８０１Ｂにも着水し、洗浄領域８０１Ａ及び非洗浄領域８０１Ｂに水膜を形成する。これにより、非洗浄領域８０１Ｂを含む大便器８００の広範囲において、汚物の付着や固着を抑制することができる。
【００７１】
制御装置４０５は、検知センサ４０２が使用者を検知している状態から使用者を検知していない状態となったときに、自動的に噴霧装置４８１を制御して、除菌水のミストを大便器８００内および着座部２００に噴霧するアフターミストモードを実行可能である。
【００７２】
例えば、図９に示すように、使用者がトイレ室から退室して、人体検知センサ４０３が使用者の退室を検知すると、使用者の退室を示す信号（検知情報）が制御装置４０５に送信される。制御装置４０５は、その信号に基づいて、自動的にアフターミストモードを実行する。アフターミストモードにおいて、制御装置４０５は、除菌装置４５０に除菌水を生成させ、噴霧装置４８１に除菌水のミストを噴霧させ、対象部位にミストを着水させる。アフターミストモードにおける対象部位は、図１０（ａ）及び図１０（ｂ）に示すように、対象部位Ｐ１（着座部２００の表面２０３）、対象部位Ｐ２（着座部２００の裏面２０４及びリム上面８０６）、対象部位Ｐ３及び対象部位Ｐ４である。
【００７３】
このように、アフターミストモードの実行によって、使用者の便座装置１００の使用後に、大便器８００内及び着座部２００に除菌水を自動的に着水させることができる。これにより、大便器８００だけでなく着座部２００などの広い範囲において自動的に菌や汚れの発生を抑制することができる。
【００７４】
制御装置４０５は、使用者が手動操作部５００を操作したときに、噴霧装置４８１を制御して、除菌水のミストを大便器８００内および着座部２００に噴霧する手動ミストモードを実行可能である。
【００７５】
例えば、図９に示すように、使用者がトイレ室に入室中（例えばプレミストモードの実行後）に、手動操作部５００を操作すると、操作に応じた信号（操作情報）が制御装置４０５に送信される。制御装置４０５は、その信号に基づいて、手動ミストモードを実行する。手動ミストモードは、便座装置１００の使用前・使用後・掃除時などのタイミングで実行される。手動ミストモードにおいて、制御装置４０５は、除菌装置４５０に除菌水を生成させ、噴霧装置４８１に除菌水のミストを噴霧させ、対象部位にミストを着水させる。手動ミストモードにおける対象部位は、図１０（ａ）及び図１０（ｂ）に示すように、対象部位Ｐ１、対象部位Ｐ２、対象部位Ｐ３及び対象部位Ｐ４である。
【００７６】
このように、手動ミストモードにより、手動操作部５００が操作されたタイミングで大便器８００内及び着座部２００に除菌水を着水させることで、大便器８００内だけでなく着座部２００を含む広い範囲において菌や汚れの発生を抑制することができる。また、使用者は、着座部２００に着水した除菌水のミストを拭き取ることで、着座部２００に発生した菌や汚れを除去することができる。例えば、アフターミストモードによって抑制することが困難な固着汚れに対して、着水した除菌水をトイレットペーパー等を用いて拭き取ることにより、除菌することができる。また、例えば、便座装置１００の使用前に着座部２００の汚れが気になる使用者は、手動ミストモードによって着座部２００を除菌することができる。使用者自らの操作に基づいて除菌が実行されるため、使用者の安心感や満足感を高めることができる。
【００７７】
図１１は、実施形態に係る便座装置のプレミストモードにおける動作を例示する断面図である。  
図１１に示すようにボウル部８０１の非洗浄領域８０１Ｂは、前端側非洗浄領域８０１Ｆを有する。前端側非洗浄領域８０１Ｆは、非洗浄領域８０１Ｂの前端部であり、例えばボウル部８０１の左右方向における中央に位置する。前端側非洗浄領域８０１Ｆは、非洗浄領域８０１Ｂの最も前方の端を含み、洗浄領域８０１Ａの上端からリム上面８０６まで上下に延びる領域である。
【００７８】
ボウル部８０１における汚物の付着などを抑制するためには、非洗浄領域８０１Ｂにも水膜が形成されるように多くのミストを着水させることが好ましい。そこで、送風装置５１３を作動させてボウル部８０１内に気流を発生させ、その気流によりミストを非洗浄領域８０１Ｂまで届ける方法が考えられる。しかし、この場合には、気流に乗ったミストが着座部２００やリム上面８０６にも着水することがある。すると、使用者が着座部２００に着座したときや、着座部２００を手で回動させたときに、使用者の臀部や手が着座部２００に着水したミストに触れ、不快感が生じるおそれがある。また、リム上面８０６は略水平に形成されているため、リム上面８０６に着水したミストが大便器８００の外へ垂れる恐れがある。
【００７９】
そこで、プレミストモードにおいて制御装置４０５は、ボウル部８０１内に上昇気流を発生させる送風装置５１３を作動させない。また、プレミストモードにおいて制御装置４０５は、リム上面８０６に着水したミストが大便器８００の外に垂れることなく、前端側非洗浄領域８０１Ｆにミストを直接着水させるために、噴霧装置４８１から噴霧されたミストが直進状態を維持したまま前端側非洗浄領域８０１Ｆまで到達するように、噴霧装置４８１が噴霧するミストの速度を制御する。
【００８０】
これにより、多くのミストを非洗浄領域８０１Ｂに着水させつつも、ミストが送風装置５１３によって発生する上昇気流に乗って浮遊することがないため、リム上面８０６や着座部２００に着水するミストの量を抑えることができる。これにより、リム上面８０６に着水したミストが大便器８００外へ垂れることを抑制できる。また、着座部２００がミストによって濡れることを抑制でき、使用者が着座部２００に着座したときや、着座部２００を手で回動させたときに、使用者の臀部や手が着座部２００に着水したミストに触れることを抑制できる。
【００８１】
なお、本願明細書において「着水したミスト」とは、ミストが着水した後に、凝集することなどによって形成される水滴や水膜を含む。
【００８２】
例えば、プレミストモードにおいて制御装置４０５は、噴霧装置４８１のディスク４８１ｂの回転速度を制御することにより、ミストの速度（微粒子ｐが飛行する速度）や、ミストの粒径を制御する。例えば、ミストの速度が高いほど、ミストは直進状態を維持しやすい。
【００８３】
図１１（及び後述する図１４、図１７、図２０、図２４、図２５、図２７、図２８、図３０、図３１）では、噴霧装置４８１から噴霧されるミストＭの経路を、矢印によって表している。矢印が太いほど、ミストの量が多いことを表す。図１１に示したように、ミストが噴霧される範囲は、上下に広がりを有する。
【００８４】
図１２は、実施形態に係る噴霧装置が噴霧するミストを例示する模式図である。  
噴霧装置４８１から噴霧されたミストの粒径は、分布を有する。例えば、図１２に示すように、噴霧装置４８１からは、小粒径のミストＭ１（水道水又は除菌水の微粒子ｐ１）と、中粒径又は大粒径のミストＭ２（水道水又は除菌水の微粒子ｐ２）と、が噴霧される。ミストＭ２の微粒子ｐ２は、自重が大きいため、水平又は下方へ進行しやすい。一方、ミストＭ１の微粒子ｐ１は、自重が小さいため、気流の影響により上方へ進行する場合がある。
【００８５】
このため、図１１に示したように、前端側非洗浄領域８０１Ｆに着水するミストの量にも分布が生じる。前端側非洗浄領域８０１Ｆのうち最も多くのミストが直接着水する部分がボリュームゾーンＢＺである。実施形態においては、ボリュームゾーンＢＺに到達するミストが直進状態を維持するように、制御装置４０５は、噴霧装置４８１を制御する。
【００８６】
図１３は、ミストの直進状態を説明するための模式図である。  
噴霧装置４８１から噴霧されたミストが直進状態を維持しているか否かは、以下のようにして判定される。  
噴霧装置４８１（ディスク４８１ｂ）から水平方向に距離Ｌだけ離れた位置に、噴霧対象物ＯＢが配置されている。距離Ｌは、例えば、噴霧装置４８１と前端側非洗浄領域８０１Ｆとの間の水平方向に沿った距離（３００〜４００ｍｍ程度）である。
【００８７】
噴霧装置４８１から噴霧対象物ＯＢにミストを噴霧し、噴霧対象物ＯＢにおけるミストの着水ポイントＰｔ１を測定する。着水ポイントＰｔ１とは、噴霧対象物ＯＢのうち最も多くのミストが直接着水するポイントである。例えば、感水試験紙又は透明な板などでミストを受け、水滴の分布を観察することによって、着水ポイントＰｔ１を可視化することができる。
【００８８】
噴霧装置４８１がミストを噴霧する噴霧方向Ｄｓ（噴霧角度θｓ）を測定する。噴霧方向Ｄｓは、噴霧装置４８１の近傍において、最も多くのミストが噴霧される方向である。なお、噴霧装置４８１の近傍とは、噴霧装置４８１からの距離が例えば５０ｍｍ以内の範囲である。例えば、噴霧方向Ｄｓは、ミストを噴霧している噴霧装置４８１の画像を取得し、画像処理により測定することができる。または、ミストにシートレーザーを照射することで、噴霧されたミストを可視化し、噴霧方向Ｄｓを測定してもよい。噴霧角度θｓは、水平方向と噴霧方向Ｄｓとの間の角度である。
【００８９】
噴霧装置４８１から噴霧方向Ｄｓに延びる直線Ｌ１と、噴霧対象物ＯＢと、の交点Ｐｔ２の高さｈ１を算出する。高さｈ１は、噴霧装置４８１と交点Ｐｔ２との間の上下方向に沿った距離であり、Ｌ×ｔａｎθｓにより算出される。また、実際の着水高さｈ２を測定する。着水高さｈ２は、噴霧装置４８１と着水ポイントＰｔ１との間の上下方向に沿った距離である。
【００９０】
着水高さｈ２が高さｈ１と同じ場合、噴霧装置４８１から噴霧されたミストが直進状態を維持したまま噴霧対象物ＯＢに到達したと判定する。なお、着水高さｈ２が高さｈ１と同じという範囲は、着水高さｈ２と高さｈ１との差が、２０ｍｍ以内である場合を含むものとする。
【００９１】
図１４は、実施形態に係る便座装置のプレミストモードにおける動作を例示する断面図である。  
図１４は、図１１に示した前端側非洗浄領域８０１Ｆの周辺を拡大して示す。  
図１４に示すように、前端側非洗浄領域８０１Ｆは、上部領域８２１と下部領域８２２とを有する。また、上部領域８２１は、アール部８２３とミストガイド部８２４とを有する。
【００９２】
アール部８２３は、前端側非洗浄領域８０１Ｆの上端を含み、ボウル部８０１の内側へ向かう下り傾斜を有する曲面状である。ミストガイド部８２４は、アール部８２３の下方に設けられ、ボウル部８０１の外側へ向かう下り傾斜を有する。または、ミストガイド部８２４は、鉛直方向に延びていてもよい。ミストガイド部８２４は、アール部８２３と連続している。
【００９３】
アール部８２３は、リム上面８０６の近傍に位置する。そのため、噴霧装置４８１がミストを噴霧する噴霧方向Ｄｓが、アール部８２３に多くのミストが着水するような方向の場合、リム上面８０６が濡れやすい。この場合、リム上面８０６に着水したミストが大便器８００の外へ垂れる恐れがある。また、アール部８２３は、ボウル部８０１の内側へ向かう下り傾斜を有するのため、アール部８２３に到達したミストは、アール部８２３において反射されてリム上面８０６側に飛散しやすい。特に、ミストが直進状態を維持したまま非洗浄領域８０１Ｂに到達するようにミストの速度を高くすると、ミストが飛散しやすくなってしまう。
【００９４】
これに対して、実施形態においては、噴霧装置４８１がミストを噴霧する噴霧方向Ｄｓは、噴霧装置４８１から噴霧され直進状態を維持したまま前端側非洗浄領域８０１Ｆまで到達するミストがアール部８２３よりも下方に着水するように設定されている。これにより、アール部８２３の上方に位置するリム上面８０６に着水するミストの量を少なくすることができる。また、直進状態を維持するためにミストの速度を高くした場合であっても、ミストがリム上面８０６側に飛散することを抑制することができる。
【００９５】
また、図１４に示す例では、ミストガイド部８２４は、ボウル部８０１の外側へ向かう下り傾斜を有し、前端側非洗浄領域８０１Ｆに到達したミストを下方へ誘導する。例えば、ミストガイド部８２４に到達したミストは、下方へ向けて反射される。これにより、ミストが直進状態を維持したまま前端側非洗浄領域８０１Ｆに到達するようにミストの速度を高くした場合であっても、ミストがリム上面８０６側に飛散することを抑制することができる。
【００９６】
また、ミストを噴霧する噴霧部（例えばディスク４８１ｂ）は、着座部２００の一部の下方に設けられている。そして、噴霧装置４８１がミストを噴霧する噴霧方向Ｄｓは、前端側非洗浄領域８０１Ｆに向かう斜め下方に設定されている。これにより、前端側非洗浄領域８０１Ｆに到達したミストは、下方に飛散しやすくなる。つまり、ミストは、前端側非洗浄領域８０１Ｆにおいて下方に向けて反射されやすい。したがって、ミストが直進状態を維持したまま前端側非洗浄領域８０１Ｆに到達するようにミストの速度を高くした場合であっても、ミストがリム上面８０６側に飛散することを抑制することができる。
【００９７】
さらに、噴霧装置４８１は、噴霧部（例えばディスク４８１ｂ）と前端側非洗浄領域８０１Ｆとを結ぶ仮想的な線分Ｌ２（図１１参照）が着座部２００と交わらないように配置されている。そして、噴霧方向Ｄｓは、直進状態を維持したまま前端側非洗浄領域８０１Ｆまで到達するミストが線分Ｌ２に沿って噴霧されるように設定されている。これにより、ミストによって着座部２００が濡れることを抑制しつつ、非洗浄領域８０１Ｂにミストを着水させることができる。
【００９８】
また、プレミストモードにおいて制御装置４０５は、前端側非洗浄領域８０１Ｆの上部領域８２１に直接着水するミストの単位面積あたりの平均着水量が、前端側非洗浄領域８０１Ｆの下部領域８２２に直接着水するミストの単位面積あたりの平均着水量よりも少なくなるように噴霧装置４８１を制御している。
【００９９】
具体的には、例えば、プレミストモードにおいて制御装置４０５は、下部領域８２２に直接着水するミストの粒径が、上部領域８２１に直接着水するミストの粒径よりも大きくなるように噴霧装置４８１を制御する。下部領域８２２に直接着水するミストの粒径を大きくすることにより、下部領域８２２に直接着水するミストの単位面積あたりの平均着水量を多くすることができる。また、上部領域８２１に直接着水するミストの粒径を小さくすることにより、下部領域８２２に直接着水するミストの単位面積あたりの平均着水量を少なくすることができる。
【０１００】
下部領域８２２に直接着水するミストの単位面積あたりの平均着水量を比較的多くすることで、下部領域８２２における汚物の付着や固着を抑制することができる。一方、上部領域８２１に直接着水するミストの単位面積あたりの平均着水量を比較的少なくすることで、リム上面８０６や着座部２００に着水するミストの量を抑えることができる。例えば、上部領域８２１に到達したミストがリム上面８０６や着座部２００に飛散することを抑制できる。これにより、リム上面８０６に着水したミストが大便器外へ垂れることを抑制できる。また、着座部２００がミストによって濡れることを抑制でき、使用者が着座部２００に着座したときや、着座部２００を手で回動させたときに、使用者の臀部や手が着座部２００に着水したミストに触れることを抑制できる。
【０１０１】
図１５（ａ）〜図１５（ｃ）は、非洗浄領域の上部領域及び下部領域に直接着水するミストの単位面積あたりの平均着水量の測定方法を説明するための模式図である。  
まず、前端側非洗浄領域８０１Ｆの上部領域８２１を含む第１測定箇所ＳＵと、前端側非洗浄領域８０１Ｆの下部領域８２２を含む第２測定箇所ＳＬと、を設定する。第１測定箇所ＳＵ及び第２測定箇所ＳＬの左右方向の範囲は、それぞれ、非洗浄領域８０１Ｂの先端を中心とした幅１００ｍｍの範囲である。また、第１測定箇所ＳＵの上下方向の範囲は、上部領域８２１の上下方向の範囲と略同じであり、第２測定箇所ＳＬの上下方向の範囲は、下部領域８２２の上下方向の範囲と略同じである。
【０１０２】
ミストを前端側非洗浄領域８０１Ｆに噴霧してから規定時間後に、第１測定箇所ＳＵ及び第２測定箇所ＳＬのそれぞれを、キムタオル（日本製紙クレシア製）で拭き取る。これにより、第１測定箇所ＳＵ及び第２測定箇所ＳＬのそれぞれに着水したミストをキムタオルに吸水させる。  
なお、ミストを噴霧する規定時間は、ミストの噴霧流量Ｑ（Ｌ／ｍｉｎ）に応じて定められる。噴霧流量ＱがＱ＜０．０３Ｌ／ｍｉｎとなる場合、規定時間は１０秒とする。噴霧流量Ｑが０．０３Ｌ／ｍｉｎ≦Ｑ＜０．２Ｌ／ｍｉｎとなる場合、規定時間は４秒とする。噴霧流量ＱがＱ≧０．２Ｌ／ｍｉｎとなる場合、規定時間は２秒とする。
【０１０３】
第１測定箇所ＳＵに着水したミストを吸水したキムタオルの重量と、ミストを着水させる前の当該キムタオルの重量との差が、第１測定箇所ＳＵに着水したミストの着水量である。第１測定箇所ＳＵに着水したミストの着水量を、第１測定箇所ＳＵの面積で除算した値を、上部領域８２１に直接着水するミストの単位面積あたりの平均着水量とする。
【０１０４】
同様に、第２測定箇所ＳＬに着水したミストを吸水したキムタオルの重量と、ミストを着水させる前の当該キムタオルの重量との差が、第２測定箇所ＳＬに着水したミストの着水量である。第２測定箇所ＳＬに着水したミストの着水量を、第２測定箇所ＳＬの面積で除算した値を、下部領域８２２に直接着水するミストの単位面積あたりの平均着水量とする。
【０１０５】
なお、キムタオルで各測定箇所を拭き取る代わりに、各測定箇所にキムタオルを貼り付けた状態で噴霧を行い、キムタオルにミストを吸水させてもよい。例えば、元々４つ折りに形成されたキムタオルを広げ、折り畳まれていない状態にしたキムタオルを、各測定箇所に沿う形にカットする。カットしたキムタオルを各測定箇所に貼り付ける。
【０１０６】
また、上記の例では、アール部８２３及びミストガイド部８２４を上部領域８２１とし、ミストガイド部８２４の下端よりも下方を下部領域８２２としている。これに限らず、上部領域８２１と下部領域８２２との境界は、前端側非洗浄領域８０１Ｆの上下方向における中央としてもよい。すなわち、前端側非洗浄領域８０１Ｆの上下方向における中央よりも上側を上部領域８２１とし、前端側非洗浄領域８０１Ｆの上下方向における中央よりも下側を、下部領域８２２としてもよい。
【０１０７】
図１６（ａ）及び図１６（ｂ）は、実施形態に係る大便器の前端側非洗浄領域を例示する断面図である。  
図１６（ａ）に示すように、上部領域８２１は、ボウル部８０１の外側へ向かって下り傾斜した傾斜面（ミストガイド部８２４）を有する。既に述べた通り、ミストガイド部８２４（上部領域８２１の傾斜面）は、ミストを下方に誘導する。
【０１０８】
一方、図１６（ｂ）に示すように、下部領域８２２は、ボウル部８０１の内側へ向かって下り傾斜した傾斜面を有する。これにより、下部領域８２２は、下部領域８２２に到達したミストを上方に誘導する。これにより、下部領域８２２の到達したミストの一部を上部領域８２１に着水させ、上部領域８２１における着水量（間接着水量）を多くすることができる。なお、下部領域８２２の傾斜面の上には、上部領域８２１の傾斜面が設けられているため、下部領域８２２の傾斜面によって上方へ誘導されたミストが上部領域８２１を越えてリム上面８０６まで飛散することは、抑制されている。
【０１０９】
例えば、上部領域８２１の傾斜角度θ１は、下部領域８２２の傾斜角度θ２よりも大きい。傾斜角度θ１は、鉛直方向と上部領域８２１の傾斜面（ミストガイド部８２４）との間の角度である。傾斜角度θ２は、鉛直方向と下部領域８２２の傾斜面との間の角度である。
【０１１０】
傾斜角度θ１が大きいことにより、上部領域８２１に到達したミストをより積極的に下方に誘導することができる。また、傾斜角度θ２が小さいことにより、下部領域８２２によって上方へ誘導されるミストの量を抑えることができる。傾斜角度θ１が傾斜角度θ２よりも大きいことで、下部領域８２２によって上部領域８２１へ誘導されたミストは、上部領域８２１の傾斜面において減速するため、リム上面８０６まで飛散しない。
【０１１１】
図１７（ａ）及び図１７（ｂ）は、便座装置のプレミストモード及びオート便蓋開モードにおける動作を例示する断面図である。  
制御装置４０５は、検知センサ４０２が使用者を検知していない状態から使用者を検知している状態となったときに、自動的に便蓋用モータ５１２を制御して便蓋３００を閉じた状態から開いた状態とするオート便蓋開モードを実行可能である。
【０１１２】
例えば、使用者がトイレ室にいない場合、便蓋３００は、閉じた状態である。その後、使用者がトイレ室に入室して、人体検知センサ４０３が使用者の入室を検知すると、制御装置４０５は、オート便蓋開モードを実行する。また、制御装置４０５は、オート便蓋開モードの実行中にプレミストモードを実行する。
【０１１３】
例えば、オート便蓋開モードが実行され、図１７（ａ）及び図１７（ｂ）の矢印Ａ６のように便蓋３００が開くと、ボウル部８０１内及びボウル部８０１の周辺には、便蓋３００の開動作に伴い上昇気流ｆ１が発生する。図１７（ａ）の例では、プレミストモードによって噴霧されたミストＭの一部が、上昇気流ｆ１に乗って、ボウル部８０１よりも上方まで上昇している。この場合、ボウル部８０１よりも上方まで上昇したミストが着座部２００やリム上面８０６に着水してしまう。
【０１１４】
これに対し、図１７（ｂ）の例では、制御装置４０５は、前端側非洗浄領域８０１Ｆに向かって飛行するミストが上昇気流ｆ１によってボウル部８０１よりも上方に上昇しないように、噴霧装置４８１が噴霧するミストの粒径を制御している。具体的には、制御装置４０５は、例えば、ミストの粒径が小さくなり過ぎないように、噴霧装置４８１のディスク４８１ｂの回転速度を制限する。
【０１１５】
これにより、オート便蓋開モードによって上昇気流ｆ１が発生しても、リム上面８０６や着座部２００にミストが着水することを抑制しつつ、非洗浄領域８０１Ｂにミストを到達させることができる。したがって、リム上面８０６に着水したミストが大便器８００の外へ垂れることを抑制できる。また、着座部２００がミストによって濡れることを抑制でき、使用者が着座部２００に着座したときや、着座部２００を手で回動させたときに、使用者の臀部や手が着座部２００に着水したミストに触れることを抑制できる。
【０１１６】
なお、ミストが上昇気流ｆ１によってボウル部８０１よりも上方に上昇しない、という範囲は、全てのミストがボウル部８０１よりも上方に上昇しない場合だけでなく、使用者に不快感を生じさせない程度の僅かなミストがボウル部８０１よりも上方に上昇する場合を含んでもよいものとする。
【０１１７】
図１８は、実施形態に係る便座装置のプレミストモードにおける動作を例示するタイミングチャートである。  
図１９（ａ）及び図１９（ｂ）は、実施形態に係る便座装置のプレミストモードにおける動作を例示する平面図である。  
図１８に示すように、例えば、時刻Ｔ１において、人体検知センサ４０３などの入室検知手段により、使用者の入室が検知される。すると、制御装置４０５は、オート便蓋開モード及びプレミストモードの実行を開始する。これにより、閉状態の便蓋３００が開き始め、ミストのボウル部８０１内への噴霧が開始される。便蓋３００の開動作は、時刻Ｔ１から時刻Ｔ４まで続けられ、時刻Ｔ４において便蓋３００が全開状態となる。
【０１１８】
図１９（ｂ）は、時刻Ｔ１から時刻Ｔ２までの間において、噴霧装置４８１から噴霧されたミストが着水する範囲を例示している。このように、プレミストモード及びオート便蓋開モードの開始直後の時間帯では、制御装置４０５は、ボウル部８０１のうちの非洗浄領域８０１Ｂ以外の領域（洗浄領域８０１Ａ）にミストが着水するように、噴霧装置４８１を制御する。
【０１１９】
図１９（ａ）は、時刻Ｔ２から時刻Ｔ３までの間において、噴霧装置４８１から噴霧されたミストが着水する範囲を例示している。時刻Ｔ２から時刻Ｔ３までの間では、制御装置４０５は、非洗浄領域８０１Ｂにミストが着水するように、噴霧装置４８１を制御する。
【０１２０】
その後、時刻Ｔ３から時刻Ｔ４までの間においては、制御装置４０５は、再び洗浄領域８０１Ａにミストが着水するように、噴霧装置４８１を制御する。
【０１２１】
そして、時刻Ｔ４の後の時刻Ｔ５までに、オート便蓋開モード及びプレミストモードが終了する。例えば、時刻Ｔ５に使用者が着座部２００に着座する。
【０１２２】
オート便蓋開モードによる便蓋３００の開動作に伴って発生する上昇気流ｆ１の大きさは、便蓋３００が閉じた状態から開いた直後（すなわち便蓋の開き始めの時期）に最も大きくなりやすい。これに対して、実施形態においては、制御装置４０５は、オート便蓋開モードの実行開始後に、前端側非洗浄領域８０１Ｆに向かうミストの噴霧を開始する。すなわち、図１８に示したように、オート便蓋開モードが開始する時刻Ｔ１の後の時刻Ｔ２に、前端側非洗浄領域８０１Ｆへのミストの噴霧が開始する。これにより、上昇気流ｆ１によって、ミストがボウル部８０１よりも上方に上昇することをより抑制することができる。
【０１２３】
また、オート便蓋開モードによる便蓋３００の開動作に伴って発生する上昇気流ｆ１の大きさは、便蓋３００が開く速度が高いと大きくなりやすい。これに対して、図１８に示すように、制御装置４０５は、オート便蓋開モードの実行開始直後の第１時間帯（時刻Ｔ１から時刻Ｔ２まで）において便蓋３００が開く速度が、第１時間帯の後の第２時間帯（時刻Ｔ２から時刻Ｔ３まで）において便蓋３００が開く速度よりも低くなるように、便蓋用モータ５１２を制御する。これにより、オート便蓋開モードの開始直後において、上昇気流ｆ１を小さくすることができる。したがって、オート便蓋開モードによる上昇気流ｆ１によってミストがボウル部８０１よりも上方に上昇することをより抑制することができる。
【０１２４】
さらに、制御装置４０５は、オート便蓋開モードの実行開始直後の第３時間帯（時刻Ｔ１から時刻Ｔ２まで）においてミストが前端側非洗浄領域８０１Ｆ以外の領域に着水し、第３時間帯の後の第４時間帯（時刻Ｔ２から時刻Ｔ３まで）においてミストが前端側非洗浄領域８０１Ｆに着水するように噴霧装置４８１を制御する。これにより、オート便蓋開モードによる上昇気流ｆ１によって、ミストがボウル部８０１よりも上方に上昇することをより抑制することができる。
【０１２５】
図２０（ａ）及び図２０（ｂ）は、実施形態に係る便座装置のアフターミストモード又は手動ミストモードにおける動作を例示する断面図である。  
図２０（ｂ）は、図２０（ａ）に示す領域Ｒ４の拡大図である。  
破線の矢印は、送風装置５１３によって形成される気流を表す（後述する図２４、図２７、図２８、図３０においても同様）。図２０（ａ）に示すように、アフターミストモード又は手動ミストモードにおいて、送風装置５１３は、前方かつ下方へ向けて送風する。送風装置５１３から送られた空気の少なくとも一部は、大便器８００内（洗浄領域８０１Ａ又は非洗浄領域８０１Ｂ）に当たり、上方へ向かう。これにより、着座部２００よりも下方の大便器８００内から、着座部２００の上方に巻き上がる上昇気流Ｕ１が形成される。
【０１２６】
例えば、アフターミストモード又は手動ミストモードにおいて、一部のミストは、噴霧装置４８１から非洗浄領域８０１Ｂへ向けて放射される。また、粒径が比較的大きいミストは、洗浄領域８０１Ａに着水する。粒径が比較的小さいミストは、上昇気流Ｕ１によってリム上面８０６、着座部２００及び便蓋３００などに着水する。これにより、非洗浄領域８０１Ｂ、リム上面８０６、着座部２００及び便蓋３００などを含むトイレ装置１０の隅々までを除菌することができる。
【０１２７】
一般に、水道水には、スケール成分（例えばナトリウム、カルシウム、カリウム、マグネシウム等）が含まれることがある。この場合、水道水から生成された除菌水のミストにもスケール成分が含まれる。スケール成分を含むミストが便座装置１００等に着水した後に蒸発すると、ミストが着水していた部分にスケールが析出し、短期間で目視可能な水垢汚れが発生してしまうことがある。
【０１２８】
そこで、便座装置１００の一実施形態において、アフターミストモードは、大便器８００及び着座部２００にミストを噴霧するモード（第２モード）だけでなく、大便器８００内のみにミストを噴霧する第１モードを有する。１回のアフターミストモードにおいて制御装置４０５は、第１モード及び第２モードのいずれか一方を実行する。
【０１２９】
例えば、第１モードにおいて制御装置４０５は、大便器８００内（洗浄領域８０１Ａ及び非洗浄領域８０１Ｂ）のみにミストが着水するように、送風装置５１３を停止させたり、ミストの粒径を制御したりする。第１モードにおいては、大便器８００内に除菌水のミストを噴霧することにより、大便器８００内において菌や汚れが発生することを抑制することができる。また、大便器８００内に着水したミストに含まれるスケール成分は、大便器８００内に流される洗浄水によって洗い流される。そのため、大便器８００内のみにミストを噴霧する第１モードによって、大便器８００内の菌や汚れの発生を抑制するとともに、スケール成分に起因した目視可能な水垢汚れがリム上面８０６、着座部２００、便蓋３００などに発生することを抑制することができる。
【０１３０】
一方、第２モードにおいて制御装置４０５は、例えば図２０の例のように、着座部２００等にミストが着水するように、送風装置５１３を作動させたり、ミストの粒径を制御したりする。第２モードにおいては、大便器８００内及び着座部２００に除菌水のミストを噴霧することにより、大便器８００内だけでなく着座部２００においても菌や汚れが発生することを抑制することができる。
【０１３１】
そして、アフターミストモードにおいて、制御装置４０５が第１モード及び第２モードのいずれかを実行することにより、第２モードを毎回実行する場合に比べて、着座部２００にミストが付着する頻度を低くすることができる。これにより、付着したミストが蒸発することで析出するスケールが、目視可能な水垢汚れに成長するまでの期間を長くすることができる。したがって、着座部２００、便蓋３００、リム上面８０６などの洗浄水が流れない領域において短期間で目視可能な水垢汚れが発生することを抑制することができる。
【０１３２】
なお、アフターミストモードにおいて第１、２モードのいずれが実行されても、汚れが発生しやすい大便器８００内には除菌水のミストが噴霧されるため、アフターミストモードを実行することで使用者による掃除の頻度を確実に低減することができる。また、着座部２００は、大便器８００内に比べて汚れが発生しにくい部位であるため、除菌水のミストを毎回、着座部２００に噴霧しなくても目視可能な汚れは発生しにくい。
【０１３３】
また、第１モードにおいて大便器８００内のみにミストが着水するという範囲には、全てのミストが大便器８００内に着水する場合だけでなく、目視可能な水垢汚れに寄与しない程度の僅かなミストが着座部２００等に着水する場合を含んでもよいものとする。
【０１３４】
図２１は、実施形態に係る便座装置のアフターミストモードにおける動作を例示するフローチャートである。  
使用者がトイレ室内にいる間は、アフターミストモードは実行されない（ステップＳ１０１：Ｎｏ）。使用者がトイレ室から退室して、検知センサ４０２が使用者を検知している状態から使用者を検知していない状態となると（ステップＳ１０１：Ｙｅｓ）、制御装置４０５は、着座部２００及び便蓋３００を閉じ、アフターミストモードを開始する。
【０１３５】
このとき、制御装置４０５は、アフターミストモードの第１モード及び第２モードのいずれを実行するかを自動で判断する（ステップＳ１０２）。これにより、使用者が第１モード及び第２モードのいずれかを毎回選択しなくてよいため、使用者の負担を小さくすることができる。
【０１３６】
例えば、ステップＳ１０２において、制御装置４０５は、第２モードの実行頻度が、第１モードの実行頻度よりも低くなるように判断する。第２モードの実行頻度が低いことにより、スケール成分を含むミストが着座部２００に付着する量を少なくすることができる。したがって、スケールが析出して目視可能な水垢汚れに成長するまでの期間を長くすることができる。
【０１３７】
より具体的には、制御装置４０５は、例えば、前回の第２モードの実行から所定時間経過した場合、または、前回の第２モードの実行後に第１モードを所定回数実行した場合（ステップＳ１０２：Ｙｅｓ）、第２モードを再び実行し（ステップＳ１０３）、アフターミストモードが終了する。これにより、第２モードが定期的に実行されるため、目視可能な水垢汚れが短期間で発生することを抑制しつつ、汚物による菌や汚れの発生を抑制することができる。
【０１３８】
一方、制御装置４０５は、前回の第２モードの実行から所定時間が経過していない場合、または、前回の第２モードの実行後に第１モードを所定回数実行していない場合（ステップＳ１０２：Ｎｏ）、第１モードを実行し（ステップＳ１０４）、アフターミストモードが終了する。なお、ステップＳ１０２における所定時間や所定回数は、水道水に含まれるスケール成分の濃度やミストの噴霧量を考慮して、水垢汚れが短期間で発生しないように適宜定めればよい。
【０１３９】
図２２は、実施形態に係る便座装置のアフターミストモードにおける別の動作を例示するフローチャートである。  
アフターミストモードにおいて制御装置４０５は、使用者の手動操作による選択に基づいて、第１モード及び第２モードのいずれを実行するかを判断してもよい。例えば、手動操作部５００には、第１モード及び第２モードのいずれを実行するかを使用者が選択するためのスイッチ又はボタンなどが設けられる。
【０１４０】
使用者は、手動操作部５００において第１モード及び第２モードのいずれかを選択する入力操作を行う。そして、制御装置４０５は、使用者がどちらのモードを選択したかを示す情報を受信する（ステップＳ２０１）。
【０１４１】
使用者が手動操作部５００において第１モードを選択した場合に、検知センサが使用者の退室を検知すると（ステップＳ２０２：Ｙｅｓ）、制御装置４０５は、第１モードを実行し（ステップＳ２０３）、アフターミストモードが終了する。なお、使用者の退室が検知されない場合は、アフターミストモードは実行されない（ステップＳ２０２：Ｎｏ）。
使用者が手動操作部５００において第２モードを選択した場合に、検知センサが使用者の退室を検知すると（ステップＳ２０４：Ｙｅｓ）、制御装置４０５は、第２モードを実行し（ステップＳ２０５）、アフターミストモードが終了する。なお、使用者の退室が検知されない場合は、アフターミストモードは実行されない（ステップＳ２０４：Ｎｏ）。
【０１４２】
このように、アフターミストモードにおいて制御装置４０５は、手動操作部５００における使用者の選択に基づいて、第１モード及び第２モードのいずれか一方を実行する。つまり、使用者は、手動操作部５００を操作することで、第１モード及び第２モードのいずれを実行するかを予め設定しておくことができる。
【０１４３】
例えば、設定が変更されなければ、制御装置４０５は、アフターミストモードにおいて第１モード又は第２モードの一方を毎回実行することとなる。水道水に含まれるスケール成分の濃度は、地域によって異なる。スケール成分の濃度が低い地域では、着座部２００にミストを噴霧する第２モードを毎回実行しても、スケール成分に起因した目視可能な水垢汚れが発生するまで期間は長い。このような地域では、アフターミストモードにおいて第２モードを実行することにより、汚物による菌や汚れの発生を抑制し、掃除の頻度を減らすことができる。一方、スケール成分の濃度が高い地域では、着座部２００にもミストを噴霧する第２モードを実行すると、スケール成分に起因した目視可能な水垢汚れが短期間で発生しやすい。このような地域では、着座部２００にミストを噴霧する第２モードを実行しない方が、掃除の頻度を減らすことができる。使用者が手動操作部５００によって第１モード及び第２モードのいずれを実行するかを選択することにより、水道水に含まれるスケール成分の濃度が高い地域及び低い地域の両方において、掃除の頻度を低くすることができる。
【０１４４】
また、手動操作部５００には、第１モードの実行頻度及び第２モードの実行頻度の少なくともいずれかを使用者が選択するためのスイッチ又はボタンなどが設けられてもよい。例えば、前回の第２モードの実行から所定時間経過した場合に第２モードを実行する場合、使用者は、手動操作部５００において、その所定時間を選択することができる。また、例えば、前回の第２モードの実行後に第１モードを所定回数実行した場合に第２モードを実行する場合、使用者は、手動操作部５００において、その所定回数を選択することができる。制御装置４０５は、手動操作部５００における使用者の選択（設定された頻度）に基づいて、第１モード及び第２モードの少なくともいずれかを実行する。これにより、便座装置１００が使用される地域の水道水に含まれるスケール成分の濃度等に応じて、掃除の頻度が低くなるように、第１モードの実行頻度または第２モードの実行頻度を選択することができる。
【０１４５】
図２３は、実施形態に係る便座装置のアフターミストモードにおける別の動作を例示するフローチャートである。  
図２３に示す例では、アフターミストモードは、除菌水のミストを大便器８００内のみに噴霧するように制御される。言い換えれば、前述の第１モードが毎回実行される。また、図２３は、手動ミストモードにおける動作も例示している。この例において、手動ミストモードは、図９及び図２０に関して説明した例と同様に、除菌水のミストを大便器８００内及び着座部２００に噴霧する。
【０１４６】
使用者がトイレ室から退室して、検知センサ４０２が使用者を検知している状態から使用者を検知していない状態となると（ステップＳ３０１：Ｙｅｓ）、制御装置４０５は、アフターミストモードを開始する。大便器８００内のみに除菌水のミストが噴霧され（ステップＳ３０２）、アフターミストモードが終了する。アフターミストモードにおいて、着座部２００等には除菌水を噴霧しないことにより、スケール成分に起因した目視可能な水垢汚れが短期間で発生することを抑制することができる。
【０１４７】
使用者がトイレ室から退室しない場合（ステップＳ３０１：Ｎｏ）、使用者が手動操作部５００を操作すると（ステップＳ３０３：Ｙｅｓ）、制御装置４０５は、手動ミストモードを開始する。大便器８００及び着座部２００に除菌水のミストが噴霧され（ステップＳ３０４）、手動ミストモードが終了する。なお、使用者が手動操作部５００を操作しない場合（ステップＳ３０３：Ｎｏ）、手動ミストモードは実行されない。
【０１４８】
手動ミストモードは、使用者がミスト後ペーパー等で拭き取るモードであるため、手動ミストモードの実行頻度は、アフターミストモードの実行頻度に比べて低い傾向がある。そのため、図２３に示す例のように、アフターミストモードにおいては大便器８００内のみにミストを噴霧し、手動ミストモードにおいては大便器８００内及び着座部２００にミストを噴霧することで、着座部２００にミストが付着する頻度を低くすることができる。これにより、付着したミストが蒸発することで析出するスケール成分が、目視可能な水垢汚れに成長するまでの期間を長くすることができる。したがって、着座部２００などの洗浄水が流れない領域において短期間で目視可能な水垢汚れが発生することを抑制することができる。
【０１４９】
図２４（ａ）及び図２４（ｂ）は、実施形態に係る便座装置のプレミストモード及びアフターミストモードにおける動作を例示する断面図である。  
図２４（ａ）に示すように、プレミストモードは、水道水又は除菌水のミストを洗浄領域８０１Ａ及び非洗浄領域８０１Ｂに噴霧し、水道水又は除菌水を洗浄領域８０１Ａ及び非洗浄領域８０１Ｂに滞留させて水滴ＷＤ１又は水膜ＷＦ１を形成する。例えば、制御装置４０５は、ミストの粒径を小さくしたり、プレミストモードにおけるミストの着水量を制御したりすることにより、着水したミストを滞留させる。
【０１５０】
その後、使用者がトイレ室から退室すると、アフターミストモードが実行される。図２４（ｂ）に示すように、アフターミストモードは、プレミストモードにおいて非洗浄領域８０１Ｂに形成された水滴ＷＤ１又は水膜ＷＦ１に除菌水のミストを着水させる。これにより、アフターミストモードは、水滴ＷＤ１又は水膜ＷＦ１の体積を増やすことで水滴ＷＤ１又は水膜ＷＦ１を洗い流す。すなわち、体積が増え自重が大きくなることにより、非洗浄領域８０１Ｂに形成された水滴ＷＤ１又は水膜ＷＦ１は、洗浄領域８０１Ａに流下する。
【０１５１】
プレミストモードにおいて噴霧されたミストは、洗浄領域８０１Ａ及び非洗浄領域８０１Ｂに滞留し、例えばアフターミストモードが実行されるまで水滴ＷＤ１又は水膜ＷＦ１が流されない。これにより、ただボウル部８０１内が濡れている場合に比べて、汚物の付着や固着をより抑制することができる。また、アフターミストモードにおいては、噴霧装置４８１から噴霧された除菌水のミストが非洗浄領域８０１Ｂに着水する。これにより、洗浄水によって洗い流されない汚物による菌や汚れの発生を抑制することができる。
【０１５２】
また、プレミストモードによって形成された水滴ＷＤ１又は水膜ＷＦ１が非洗浄領域８０１Ｂに付着したまま残存した場合、水滴ＷＤ１又は水膜ＷＦ１が蒸発することでスケールが析出し、非洗浄領域８０１Ｂに水垢汚れが発生することがある。これに対して、アフターミストモードによって非洗浄領域８０１Ｂに形成された水滴ＷＤ１又は水膜ＷＦ１を洗い流すことで、水滴ＷＤ１又は水膜ＷＦ１が非洗浄領域８０１Ｂに残存することを抑制することができる。これにより、水垢汚れの発生を抑制することができる。したがって、非洗浄領域８０１Ｂを含む大便器８００の広い範囲において菌や汚れが発生することを抑制しつつ、非洗浄領域８０１Ｂにおいて短期間で目視可能な水垢汚れが発生することを抑制できる。
【０１５３】
図２５（ａ）及び図２５（ｂ）は、実施形態に係る便座装置のプレミストモードにおける別の動作を例示する断面図である。  
この例では、プレミストモードは、図２５（ａ）に示す第１工程と、図２５（ｂ）に示す第２工程と、を有する。
【０１５４】
図２５（ａ）に示すように、第１工程は、非洗浄領域８０１Ｂにミストを着水させ、非洗浄領域８０１Ｂに水滴ＷＤ１又は水膜ＷＦ１を形成する。なお、第１工程は、洗浄領域８０１Ａにもミストを着水させ、水滴又は水膜を形成してもよい。
【０１５５】
図２５（ｂ）に示すように、第２工程は、第１工程において非洗浄領域８０１Ｂに形成された水滴ＷＤ１又は水膜ＷＦ１にミストを着水させる。これにより、第２工程は、水滴ＷＤ１又は水膜ＷＦ１の体積を増やすことで水滴ＷＤ１又は水膜ＷＦ１を洗い流す。すなわち、体積が増え自重が大きくなることにより、非洗浄領域８０１Ｂに形成された水滴ＷＤ１又は水膜ＷＦ１は、洗浄領域８０１Ａに流下する。プレミストモードにおいて、第１工程と第２工程とは時間的に連続したものであっても良い。  
例えば、誤入室などにより検知センサ４０２が使用者を検知してプレミストモードの第１工程が実行された場合に、第２工程を実行して、非洗浄領域８０１Ｂに形成された水滴ＷＤ１又は水膜ＷＦ１を流下させる。
【０１５６】
第１工程によって非洗浄領域８０１Ｂに形成された水滴ＷＤ１又は水膜ＷＦ１を第２工程によって洗い流すことで、水滴ＷＤ１又は水膜ＷＦ１が非洗浄領域８０１Ｂに残存することを抑制することができる。これにより、水垢汚れの発生を抑制することができる。したがって、非洗浄領域８０１Ｂを含む大便器８００の広い範囲において菌や汚れが発生することを抑制しつつ、非洗浄領域８０１Ｂにおいて短期間で目視可能な水垢汚れが発生することを抑制できる。
【０１５７】
また、プレミストモードにおいて、着水したミストがすぐに流れ落ちるようにミストを噴霧すると、ミストの粒径や流量が大きいため、ミストがボウル部８０１内で跳ねて、大便器８００の外へ飛び散ってしまう恐れがある。これに対して、この例では、第１工程によって水滴ＷＤ１又は水膜ＷＦ１を形成した後に、第２工程によって水滴ＷＤ１又は水膜ＷＦ１の体積を増やすことで水滴ＷＤ１又は水膜ＷＦ１を流下させている。これにより、ミストが大便器の外へ飛び散ることを抑制することができる。
【０１５８】
図２６（ａ）及び図２６（ｂ）は、実施形態に係る大便器及び便座を例示する平面図である。  
図２６（ａ）は、着座部２００の裏面２０４側を表している。着座部２００の裏面２０４には、便座脚部２１０が設けられている。便座脚部２１０は、裏面２０４から突出するように設けられており、着座部２００が閉じた状態において、大便器８００のリム上面８０６に接触する。この例では、合計４つの便座脚部２１０が設けられているが、便座脚部２１０の数や形状は任意である。
【０１５９】
図２６（ｂ）に示すように、大便器８００のリム上面８０６は、着座部２００が閉じた状態において、便座脚部２１０が接触する領域８１０を有する。
【０１６０】
除菌水のミストをリム上面８０６及び着座部２００に噴霧するミストモード（例えばアフターミストモード又は手動ミストモード）において、便蓋３００が開いた状態であると、大便器８００及び便座装置１００の外部へミストが飛散してしまう恐れがある。そのため、ミストの飛散を抑えるためには、便蓋３００及び着座部２００が閉じた状態であることが望ましい。一方、除菌水のミストをリム上面８０６及び着座部２００に噴霧するミストモードにおいて、便蓋３００及び着座部２００が閉じた状態であると、リム上面８０６の領域８１０と便座脚部２１０とが互いに接触しているため、領域８１０及び便座脚部２１０にミストを着水させることができない。また、便蓋３００及び着座部２００が閉じた状態では、リム上面８０６と着座部２００とが近接しているため、着座部２００の裏面２０４の外周部２０４ｅや、リム上面８０６の外周部８０６ｅにもミストが届きにくい。
【０１６１】
そこで、便座装置１００の一実施形態において、アフターミストモード又は手動ミストモードは、以下に説明する第１工程及び第２工程を有する。  
図２７（ａ）及び図２７（ｂ）は、実施形態に係る便座装置のアフターミストモード又は手動ミストモードにおける動作を例示する断面図である。  
図２７（ａ）が第１工程を表し、図２７（ｂ）が第２工程を表す。図２７（ａ）に示すように、第１工程においては、制御装置４０５は、便座用モータ５１１や便蓋用モータ５１２を制御して、着座部２００及び便蓋３００を閉じた状態（全閉状態）とする。便蓋３００が閉じた状態において、第１工程は、除菌水のミストをリム上面８０６及び着座部２００に噴霧する。第１工程においては、便蓋３００が閉じた状態であるため、大便器８００及び便座装置１００の外部にミストが飛散することを抑制しつつ、多くのミストをリム上面８０６や着座部２００に噴霧することができる。
【０１６２】
図２７（ｂ）に示すように、第２工程においては、制御装置４０５は、便座用モータ５１１や便蓋用モータ５１２を制御して、着座部２００及び便蓋３００を開いた状態とする。着座部２００及び便蓋３００開いた状態において、第２工程は、除菌水のミストをリム上面８０６及び着座部２００に噴霧する。これにより、第２工程は、リム上面８０６の便座脚部２１０が接触する領域８１０に除菌水のミストを噴霧する。第２工程においては、着座部２００が開いた状態であるため、便座脚部２１０や、リム上面８０６の領域８１０にもミストを着水させることができる。また、リム上面８０６の外周部８０６ｅ及び着座部２００の外周部２０４ｅにもミストが着水しやすい。
【０１６３】
制御装置４０５は、１回のアフターミストモード及び手動ミストモードにおいて、例えば第１工程を実行した後に、第２工程を実行する。または、第２工程の後に第１工程が実行されてもよい。以上説明した第１工程と第２工程とによって、大便器８００及び便座装置１００の外部にミストが飛散することを抑制しつつ、リム上面８０６の便座脚部２１０が接触する領域８１０を含む広い範囲に多くのミストを着水させ、菌や汚れの発生を抑制することができる。
【０１６４】
なお、アフターミストモード又は手動ミストモードの第２工程において、着座部２００及び便蓋３００が開いた状態という範囲は、全開状態だけでなく、半開状態も含むものとする。全開状態は、通常の使用において開度が最大の状態である。半開状態は、全開状態よりも開度が小さい状態である。つまり、半開状態とは、全開状態と全閉状態との間の状態であり、開度が全開状態の半分であることに限らない。
【０１６５】
第２工程において、着座部２００が全開状態であると、便座脚部２１０がリム上面８０６から遠いため、便座脚部２１０にミストを着水させることが困難となる。これに対して、図２７（ｂ）に示す例では、制御装置４０５は、第２工程において、着座部２００が半開状態となるように便座用モータ５１１を制御している。このため、着座部２００が全開状態である場合に比べて、便座脚部２１０とリム上面８０６との間の距離を短くすることができる。これにより、第１工程において除菌水のミストが届きにくい便座脚部２１０にも、第２工程において除菌水のミストを着水させることができる。
【０１６６】
また、例えば、制御装置４０５は、第１工程においてリム上面８０６側に噴霧する除菌水のミストの総量（ｍｌ）が、第２工程においてリム上面８０６側に噴霧する除菌水のミストの総量（ｍｌ）よりも多くなるように、噴霧装置４８１を制御する。例えば、第１工程においてリム上面８０６に着水する除菌水のミストの総量は、第２工程においてリム上面８０６に着水する除菌水のミストの総量よりも多い。第１工程において多くの除菌水のミストがリム上面８０６に着水することで、リム上面８０６における菌や汚れの発生をより抑制することができる。このとき、第１工程においては、便蓋３００が閉じた状態であるため、多くのミストを噴霧しても、ミストが大便器８００及び便座装置１００の外へ飛散してしまう恐れは小さい。一方、着座部２００と共に便蓋３００が開いている第２工程においては、第１工程と比べて、ミストが大便器８００及び便座装置１００の外へ飛散しやすい。そこで、第２工程では比較的少量のミストをリム上面８０６に着水させることで、ミストが大便器８００及び便座装置１００の外部に飛散することを抑制することができる。
【０１６７】
具体的には、例えば制御装置４０５は、第１工程においてリム上面８０６側に除菌水のミストを噴霧する時間が、第２工程においてリム上面８０６側に除菌水のミストを噴霧する時間よりも長くなるように、噴霧装置４８１を制御する。すなわち、例えば、第１工程が実行される時間は、第２工程が実行される時間よりも長い。これにより、第１工程においてリム上面８０６側に噴霧されるミストの総量を、第２工程においてリム上面８０６側に噴霧されるミストの総量よりも多くすることができる。
【０１６８】
図２８（ａ）及び図２８（ｂ）は、実施形態に係る便座装置のアフターミストモード又は手動ミストモードの第２工程における動作を例示する断面図である。  
アフターミストモード又は手動ミストモードの第２工程において、制御装置４０５は、リム上面８０６側に除菌水のミストを噴霧している状態で、便座用モータ５１１及び便蓋用モータ５１２を制御して、着座部２００及び便蓋３００の少なくともいずれかを移動させてもよい。図２８（ａ）は、第２工程において、着座部２００を開方向へ移動させている状態を示す。矢印Ａ７のように着座部２００を下方から上方へ回動させると、リム上面８０６の近傍に気流ｆ２（上昇気流）が発生する。除菌水のミストが気流ｆ２に乗ることによって、リム上面８０６のより広範囲に除菌水のミストを着水させることができる。
【０１６９】
また、図２８（ｂ）は、第２工程において、着座部２００を閉方向へ移動させている状態を示す。矢印Ａ８のように着座部２００を上方から下方へ回動させると、リム上面８０６の近傍に気流ｆ３が発生する。これにより、リム上面８０６の近傍のミストが拡散し、リム上面８０６のより広範囲に除菌水のミストを着水させることができる。
【０１７０】
図２８（ａ）及び図２８（ｂ）に示す例では、制御装置４０５は、着座部２００を移動させているが、同様に便蓋３００を移動させてもよい。第２工程において、制御装置４０５は、着座部２００及び便蓋３００の一方を停止させて他方を移動させてもよいし、両方を移動させてもよい。
【０１７１】
図２９は、実施形態に係るトイレ装置を例示する平面図である。  
図２９では、大便器８００を実線で表す。また、大便器８００の上面、すなわちリム上面８０６に載置される便座装置１００のケーシング４００を破線で表している。
【０１７２】
便座装置１００のケーシング４００（本体部）は、リム上面８０６の後部に載置される。すなわち、リム上面８０６は、ケーシング４００が載置されない非載置部８０６ｆと、ケーシング４００が載置される載置部８０６ｒと、を有する。載置部８０６ｒは、非載置部８０６ｆの後方に位置する。載置部８０６ｒとは、リム上面８０６のうち、鉛直方向においてケーシング４００と重なる部分をいい、載置部８０６ｒはケーシング４００と接していなくてもよい。
【０１７３】
また、ケーシング４００とリム上面８０６の載置部８０６ｒとの間には、パッキン４９０が設けられている。パッキン４９０は、ケーシング４００の形状に合わせて、載置部８０６ｒの前方部に配置されている。これにより、洗浄水やミスト、汚物などがパッキン４９０よりも後方側に侵入することを防ぐことができる。
【０１７４】
パッキン４９０よりも前方側において、載置部８０６ｒとケーシング４００との間には隙間ＳＰが生じている。例えば、アフターミストモード又は手動ミストモードにおいて、ボウル部８０１内だけでなくリム上面８０６にも除菌水のミストを噴霧する場合、隙間ＳＰに除菌水のミストが入り込むことがある。隙間ＳＰは使用者が目視しにくい部分であるため、隙間ＳＰに入り込み載置部８０６ｒに着水したミストが、知らず知らずのうちに大きな水滴ＷＤ２又は水膜ＷＦ２となって、大便器８００外へ垂れる漏水が発生することがある。
【０１７５】
そこで、アフターミストモード又は手動ミストモードにおいて、噴霧装置４８１は、非載置部８０６ｆに着水する除菌水の単位面積あたりの平均着水量が、載置部８０６ｒに着水する除菌水の単位面積あたりの平均着水量よりも多くなるように、除菌水を噴出する。噴霧装置４８１は、非載置部８０６ｆに除菌水を着水させるとともに、載置部８０６ｒには除菌水を着水させないことが望ましい。
【０１７６】
載置部８０６ｒに比べて多くの除菌水を非載置部８０６ｆに着水させることで、非載置部８０６ｆにおける菌や汚れの発生を抑制できる。非載置部８０６ｆは、載置部８０６ｒに比べて空気が滞留しにくいため乾燥しやすい部位であり、且つ、使用者が見易く拭き取りが容易な部位である。そのため、リム上面８０６の非載置部８０６ｆに除菌水が着水しても、知らず知らずのうちに、非載置部８０６ｆにおいて除菌水が凝集し大きな水滴又は水膜となって、大便器８００の外へ垂れる可能性は低い。また、載置部８０６ｒに着水する除菌水が比較的少ないことにより、知らず知らずのうちに、載置部８０６ｒにおいて除菌水が凝集し大きな水滴又は水膜となって、大便器８００の外へ垂れることを抑制することができる。したがって、大便器８００のリム上面８０６に除菌水のミストを噴霧したときに、大便器８００外への漏水を抑制することができる。
【０１７７】
なお、単位面積あたりの平均着水量は、以下のようにして測定できる。  
まず、アフターミストモード又は手動ミストモードの実行後に、非載置部８０６ｆに着水したミストをキムタオルで拭き取る。ミストを拭き取る前のキムタオルの重量と、ミストを拭き取った後の重量と、の差を、拭き取った非載置部８０６ｆの面積で除することにより、非載置部８０６ｆに着水した除菌水の単位面積あたりの平均着水量が算出される。  同様に、アフターミストモード又は手動ミストモードの実行後に、パッキン４９０よりも前方側の載置部８０６ｒに着水したミストをキムタオルで拭き取る。ミストを拭き取る前のキムタオルの重量と、ミストを拭き取った後の重量と、の差を、拭き取った載置部８０６ｒの面積で除することにより、載置部８０６ｒに着水した除菌水の単位面積あたりの平均着水量が算出される。
【０１７８】
図３０は、実施形態に係る便座装置のアフターミストモード又は手動ミストモードにおける動作を例示する断面図である。  
図３１（ａ）及び図３１（ｂ）は、実施形態に係る便座装置のアフターミストモード又は手動ミストモードにおける動作を例示する斜視図である。  
この例では、噴霧装置４８１は、第１吐水部５１と、第２吐水部５２と、を有する。第１吐水部５１には、例えば、水道水又は除菌水を噴出（噴霧）可能なノズルが用いられる。第２吐水部５２には、例えば前述のディスク４８１ｂが用いられる。
【０１７９】
噴霧装置４８１へ水を導く流路１１３は、第１吐水部５１に給水する流路と、第２吐水部５２に給水する流路と、に分岐している。各吐水部への給水は、制御装置４０５によって制御されている。第１吐水部５１と第２吐水部５２とは、例えば同時に除菌水を噴出（噴霧）する。
【０１８０】
図３１（ａ）は、アフターミストモード又は手動ミストモードにおける第２吐水部５２の動作を例示している。第２吐水部５２は、リム上面８０６の非載置部８０６ｆに除菌水を着水させる。また、第２吐水部５２は、ボウル部８０１内の第２吐水部５２よりも前方側にも除菌水を着水させる。
【０１８１】
例えば、第２吐水部５２は、前方かつ下方へ除菌水のミストを噴霧する。噴霧されたミストの一部は、送風装置５１３によって形成される上昇気流Ｕ１に乗って、リム上面８０６よりも上方に上昇する。これにより、非載置部８０６ｆ、着座部２００及び便蓋３００に除菌水のミストが着水する。
【０１８２】
図３１（ｂ）は、アフターミストモード又は手動ミストモードにおける第１吐水部５１の動作を例示している。第１吐水部５１は、後方かつ下方へ除菌水を噴出（噴霧）し、ボウル部８０１内の第１吐水部５１よりも後方側（載置部８０６ｒ側）に除菌水を着水させる。
【０１８３】
噴霧装置４８１は、ケーシング４００の内部又は下方に設けられている。また、噴霧装置４８１から噴霧された除菌水は、自重によって徐々に落下する。そのため、非載置部８０６ｆに除菌水を着水させるためには、高い位置から除菌水を噴霧することが望ましい。そこで、図３０に示すように、第２吐水部５２は、第１吐水部５１（ノズル吐水口）よりも上方に配置される。これにより、より確実に非載置部８０６ｆに除菌水を着水させることができる。一方、載置部８０６ｒに除菌水を着水することを抑制するためには、低い位置から除菌水を噴出（噴霧）することが望ましい。第１吐水部５１（ノズル吐水口）が、第２吐水部５２よりも下方に配置されていることにより、載置部８０６ｒに除菌水が着水することをより抑制することができる。
【０１８４】
また、第２吐水部５２は、使用者が触れる可能性があるリム上面８０６の非載置部８０６ｆに除菌水を着水させるため、清潔であることが望まれる。そこで、第２吐水部５２は、ケーシング４００の内部に配置されている。また、第２吐水部５２（ディスク４８１ｂ）は、リム上面８０６よりも上方に位置する。これにより、第２吐水部５２に汚物が付着することを防ぎ、第２吐水部５２の清潔性を確保することができる。
【０１８５】
一方、第１吐水部５１は、使用者が触れる可能性の低いボウル部８０１内の載置部８０６ｒ側に除菌水を着水させるため、第２吐水部５２に比べて清潔性が問題になりにくい。そこで、第１吐水部５１は、ケーシング４００の下方に突出するように配置されている。例えば、第１吐水部５１（ノズル吐水口）は、リム上面８０６よりも下方に位置する。これにより、第１吐水部５１を低い位置に配置することができ、載置部８０６ｒに除菌水が着水することをより抑制することができる。
【０１８６】
また、噴霧装置４８１（第２吐水部５２）は、上面視において噴霧装置４８１よりも載置部８０６ｒ側（後方側）に噴出する除菌水の少なくとも一部を、上昇気流Ｕ１に乗らない大きさで形成する。一方、噴霧装置４８１（第１吐水部５１）は、上面視において噴霧装置４８１よりも非載置部８０６ｆ（前方側）に噴霧する除菌水の少なくとも一部を上昇気流Ｕ１に乗る大きさで形成する。
【０１８７】
具体的には、噴霧装置４８１は、上面視において噴霧装置４８１よりも載置部８０６ｒ側に噴出する除菌水をシャワー状、膜状または第１粒径のミスト状とする。また、噴霧装置４８１は、上面視において噴霧装置４８１よりも非載置部８０６ｆ側に噴出する除菌水を第１粒径よりも小さい第２粒径のミスト状とする。
【０１８８】
これにより、噴霧装置４８１から非載置部８０６ｆ側に噴出された除菌水は、載置部８０６ｒ側に噴出された除菌水よりも上昇気流に乗りやすく、非載置部８０６ｆに多くの除菌水を着水させることができる。逆に、噴霧装置４８１から載置部８０６ｒ側に噴出された除菌水は、非載置部８０６ｆ側に噴出された除菌水よりも上昇気流に乗りにくく、載置部８０６ｒに除菌水が着水することを抑制することができる。
【０１８９】
なお、第１粒径と２粒径との大小の比較には、ミストの粒径分布の平均値又は中央値を用いることができる。また、シャワー状及び膜状は、ミストの微粒子よりも大きい水の形状である。シャワー状及び膜状の除菌水の自重は、第１粒径のミストの粒の自重よりも大きい。シャワー状の除菌水は、糸状でも大粒状でもよい。載置部８０６ｒ側に噴出される除菌水の形状や大きさは、例えば、第１吐水部５１の吐水口の形状などによって調節できる。
【０１９０】
図３０及び図３１では、２つの吐水部が設けられた場合について説明した。但し、吐水部の数は、１でも良いし３以上でも良い。噴霧方向や噴霧範囲、ミストの粒径などを適宜変化させることで、非載置部８０６ｆに多くの除菌水を着水させつつ、載置部８０６ｒに除菌水が着水することを抑制することができる。
【０１９１】
図３２は、実施形態に係る便座装置の手動ミストモードにおける動作を例示するフローチャートである。  
使用者が手動操作部５００を操作すると、制御装置４０５は、手動操作部５００の操作情報に基づいて手動ミストモードを実行可能である。ここで、手動操作部５００の操作が短時間の間に連続して行われ、手動ミストモードが短時間の間に連続して実行されると、着座部２００が過度に濡れてしまう恐れがある。その結果、着座部２００に着水したミストに触れた使用者が不快感を感じたり、着水したミストが大便器８００外へ垂れたりしてしまう恐れがある。
【０１９２】
そこで、図３２に示す例においては、制御装置４０５は、連続手動ミスト禁止モードを有する。連続手動ミスト禁止モードは、手動ミストモードの実行後の所定時間以内（手動ミストモードの終了から所定時間が経過する前）に再び手動操作部５００が操作された場合、手動ミストモードの終了から所定時間が経過するまで手動ミストモードを再び実行することを禁止する。また、連続手動ミスト禁止モードは、手動ミストモードの実行中に再び手動操作部５００が操作された場合においても、手動ミストモードの終了から所定時間が経過するまで手動ミストモードを再び実行することを禁止する。
【０１９３】
例えば、図３２に示すように、使用者が手動操作部５００を操作して、手動ミストモードの開始を入力すると（ステップＳ４０１：Ｙｅｓ）、制御装置４０５は、前回の手動ミストモードの終了から所定時間が経過しているかを判断する（ステップＳ４０２）。所定時間が経過していた場合（ステップＳ４０２：Ｙｅｓ）、制御装置４０５は、手動ミストモードを実行する（ステップＳ４０３）。一方、手動ミストモードの実行中又は前回の手動ミストモードの終了から所定時間が経過しておらず（ステップＳ４０２：Ｎｏ）、かつ、後述する拭き取り動作が検知されていない場合（ステップＳ４０４：Ｎｏ）、制御装置４０５は、連続手動ミスト禁止モードを実行する。すなわち、手動ミストモードは実行されない。
【０１９４】
このように、手動ミストモードの実行中又は実行後の所定時間以内に手動操作部５００が操作されても、連続手動ミスト禁止モードによって再び手動ミストモードが実行されない。これにより、短時間の間にミストを噴霧する手動操作が連続で行われても、着座部２００に多過ぎるミストが着水することを抑制することができる。多くのミストが着座部２００に着水して使用者が不快感を感じること、及び、着座部２００に着水したミストが大便器８００外へ垂れることを抑制することができる。
【０１９５】
なお、ステップＳ４０２における所定時間は、例えば、再び手動ミストモードが実行され着座部２００にミストがさらに着水しても、着水したミストが大便器８００の外へ垂れない程度の時間に設定される。所定時間は、手動ミストモードにおいて噴霧されるミストの量に応じて適宜定められ、例えば、１０秒以上５分以下である。所定時間は、前回の手動ミストモードにおいて着座部２００に着水したミストが蒸発する時間でもよい。
【０１９６】
使用者は、手動ミストモードによって着座部２００に着水したミストをトイレットペーパー等を用いて拭き取ることにより、着座部２００に付着した菌や汚れを取り除くことができる。使用者が着座部２００に着水したミストのほぼ全てを拭き取った後に、着座部２００にまだ汚れが残っている場合には、使用者は、再び手動ミストモードを実行し、残った汚れを拭き取りたい場合がある。このような場合、所定時間を待つことは、使用者にとって不便である。
【０１９７】
そこで、制御装置４０５は、手動ミストモードの終了から所定時間が経過する前に連続手動ミスト禁止モードの実行を解除し、再び手動ミストモードを実行可能とする手動ミスト解除モードを有する。これにより、前回の手動ミストモードから所定時間を経過していなくても、再び手動ミストモードの実行が可能となり、使い勝手を向上させることができる。
【０１９８】
便座装置１００は、使用者が着座部２００に対して拭き取り動作を行ったことを検知する拭き取り動作検知手段を有する。制御装置４０５は、拭き取り動作検知手段の検知情報に基づいて、手動ミスト解除モードを実行する。
【０１９９】
図３２に示すように、拭き取り動作検知手段によって使用者が拭き取り動作を行ったことが検知されていた場合（ステップＳ４０４：Ｙｅｓ）、手動ミスト解除モードが実行される。すなわち、再び手動ミストモードの実行が可能となり、手動ミストモードが実行される（ステップＳ４０３）。
【０２００】
拭き取り動作検知手段としては、例えば着座検知センサ４０４を用いることができる。制御装置４０５は、着座検知センサ４０４の検知情報に基づいて拭き取り動作の有無を推定する。着座検知センサ４０４を利用することで、より確実に使用者による着座部の拭き取り動作を検知することができる。例えば、着座検知センサ４０４が着座部２００に加えられた荷重を検知可能なセンサである場合、着座部２００に加えられた荷重の大きさや、荷重が加えられた時間に基づいて、使用者が拭き取り動作を行ったことを検知することができる。また、例えば、着座検知センサ４０４が人体までの距離を取得可能なセンサである場合、距離の変化に基づいて、使用者が拭き取り動作を行ったことを検知することができる。
【０２０１】
また、使用者が手動ミストモードを実行するために、手動操作部５００を操作したにもかかわらず、連続手動ミスト禁止モードによって手動ミストモードが実行されず、ミストが噴霧されない場合、使用者が便座装置１００が故障したと誤認するおそれがある。そこで、使用者の拭き取り動作が検知されていない場合（ステップＳ４０４：Ｎｏ）、制御装置４０５は、連続手動ミスト禁止モードを実行したことを報知手段により報知する（ステップＳ４０５）。これにより、使用者の誤認を防ぐことができる。報知手段には、音又は光などで報知を行うことができる任意の手段を用いることができる。例えば、報知手段として、スピーカ、ＬＥＤ又は液晶ディスプレイなどを、手動操作部５００やケーシング４００に適宜設けることができる。
【０２０２】
さらに、便座装置１００は、使用者が着座部２００に対して拭き取り動作を行ったことを入力する操作部（例えば手動操作部５００）を有する。制御装置４０５は、操作部に入力された入力情報に基づいて、手動ミスト解除モードを実行する。例えば、使用者が手動操作部５００のスイッチ等を操作すると、入力情報（信号）が制御装置４０５に送られ、制御装置４０５は、その入力情報を受信すると手動ミスト解除モードを実行する（ステップＳ４０６：Ｙｅｓ）。これにより、再び手動ミストモードの実行が可能となり、手動ミストモードが実行される（ステップＳ４０３）。このような操作部を利用することにより、より確実に使用者による着座部２００の拭き取り動作を検知し、使い勝手を向上させることができる。なお、使用者は、拭き取り動作を行わなくても、必要に応じて当該操作部を操作してもよい。
【０２０３】
使用者が着座部２００に対して拭き取り動作を行ったことを入力する操作部を操作しない場合（ステップＳ４０６：Ｎｏ）、手動ミストモードの終了から所定時間が経過するまで、手動ミストモードの実行が禁止された状態が維持される。
【０２０４】
図３３は、実施形態に係る便座装置の手動ミストモードにおける別の動作を例示するフローチャートである。  
図３３に示す例においては、制御装置４０５は、第１手動ミストモード及び第２手動ミストモードの２種類の手動ミストモードを有する。第２手動ミストモードにおいて噴霧する除菌水のミストの総量は、第１手動ミストモードにおいて噴霧する除菌水のミストの総量よりも少ない。例えば、第２手動ミストモードの噴霧時間は、第１手動ミストモードの噴霧時間よりも短い。
【０２０５】
第１手動ミストモードは、使用者が手動操作部５００を操作したときに、噴霧装置４８１を制御して、除菌水のミストを着座部２００に噴霧する動作モードである。
【０２０６】
一方、第２手動ミストモードは、第１手動ミストモードの実行後の所定時間以内（第１手動ミストモードの終了から所定時間が経過する前）に再び手動操作部５００が操作された場合、噴霧装置４８１を制御して、除菌水のミストを着座部２００に噴霧する。また、第２手動ミストモードは、第１手動ミストモードの実行中に再び手動操作部５００が操作された場合においても、噴霧装置４８１を制御して、除菌水のミストを着座部２００に噴霧する。
【０２０７】
言い換えれば、第１手動ミストモードの終了から所定時間が経過するまで第１手動ミストモードを再び実行することが禁止され、代わりに第２手動ミストモードが実行される。
【０２０８】
例えば、図３３に示すように、使用者が手動操作部５００を操作して、手動ミストモードの開始を入力すると（ステップＳ５０１：Ｙｅｓ）、制御装置４０５は、前回の第１手動ミストモードの終了から所定時間が経過しているかを判断する（ステップＳ５０２）。所定時間が経過していた場合（ステップＳ５０２：Ｙｅｓ）、制御装置４０５は、第１手動ミストモードを実行する（ステップＳ５０３）。一方、第１手動ミストモードの実行中又は前回の第１手動ミストモードの終了から所定時間が経過しておらず（ステップＳ５０２：Ｎｏ）、かつ、拭き取り動作が検知されていない場合（ステップＳ５０４：Ｎｏ）、制御装置４０５は、第２手動ミストモードを実行する。
【０２０９】
このように、第１手動ミストモードの実行中又は実行後の所定時間以内に手動操作部５００が操作された場合、第１手動ミストモードに比べてミストの噴霧量が少ない第２手動ミストモードが実行される。これにより、ミストを噴霧する手動操作が連続で行われても、着座部２００に多過ぎるミストが着水することを抑制ことができる。多くのミストが着座部２００に着水して使用者が不快感を感じること、及び、着座部２００に着水したミストが大便器８００外へ垂れることを抑制することができる。
【０２１０】
なお、ステップＳ５０２における所定時間は、例えば、再び第１手動ミストモードが実行され着座部２００にミストがさらに着水しても、着水したミストが大便器８００の外へ垂れない程度の時間に設定される。所定時間は、噴霧されるミストの量に応じて適宜定められ、例えば、１０秒以上５分以下である。所定時間は、前回の第１手動ミストモードにおいて着座部２００に着水したミストが蒸発する時間でもよい。
【０２１１】
使用者が第１手動ミストモードの実行後に、着座部２００に残った汚れをさらに拭き取りたい場合、第２手動ミストモードによってミストの噴霧量が少ないと、汚れが拭き取りにくく不便な場合がある。
【０２１２】
そこで、制御装置４０５は、第１手動ミストモードの終了から所定時間が経過する前に再び第１手動ミストモードを実行可能とする手動ミスト解除モードを有する。これにより、前回の第１手動ミストモードから所定時間を経過していなくても、再び第１手動ミストモードの実行が可能となり、使い勝手を向上させることができる。
【０２１３】
図３３に示すように、拭き取り動作検知手段によって使用者が拭き取り動作を行ったことが検知されていた場合（ステップＳ５０４：Ｙｅｓ）、手動ミスト解除モードが実行される。すなわち、再び第１手動ミストモードの実行が可能となり、第１手動ミストモードが実行される（ステップＳ５０３）。
また、使用者が手動操作部５００を操作した場合に、第１手動ミストモードが実行されずに第２手動ミストモードが実行され、ミストの噴霧量が少ないと、使用者が便座装置１００が故障したと誤認するおそれがある。そこで、使用者の拭き取り動作が検知されていない場合（ステップＳ５０４：Ｎｏ）、制御装置４０５は、第２手動ミストモードを実行したことを報知手段により報知する（ステップＳ５０５）。これにより、使用者の誤認を防ぐことができる。
【０２１４】
さらに、使用者が着座部２００に対して拭き取り動作を行ったことを入力する操作部が操作されると、入力情報（信号）が制御装置４０５に送られ、制御装置４０５は、その入力情報を受信すると手動ミスト解除モードを実行する（ステップＳ５０６：Ｙｅｓ）。これにより、再び第１手動ミストモードの実行が可能となり、第１手動ミストモードが実行される（ステップＳ５０３）。
【０２１５】
使用者が着座部２００に対して拭き取り動作を行ったことを入力する操作を操作しない場合（ステップＳ５０６：Ｎｏ）、第２手動ミストモードが実行される（ステップＳ５０７）。
【０２１６】
図３４（ａ）及び図３４（ｂ）は、実施形態に係る粒径の測定方法を例示する斜視図である。  
粒径の測定には、レーザ回折法が用いられる。微粒子にレーザを照射すると、その微粒子から様々な方向に向かう回折散乱光が生じる。回折散乱光の強さは、光が発せられる方向において空間パターンを有する。この空間パターンは、光強度分布パターンと呼ばれる。光強度分布パターンは、微粒子の粒径によって変化する。微粒子の粒径と光強度分布パターンとの相関を利用し、光強度分布パターンを検出することで粒径を算出することができる。
【０２１７】
図３４（ａ）及び図３４（ｂ）に示すように、粒径の測定装置６００は、発光部６０１と受光部６０２とを有する。受光部６０２は、発光部６０１が発するレーザを受光可能に設けられている。粒径の測定においては、発光部６０１が発するレーザを噴霧装置４８１から噴霧されるミストＭに照射する。受光部６０２は、レーザの照射によって生じた回折散乱光を受光する。これにより、光強度分布パターンを検出することができる。測定装置には、エアロトラックＬＤＳＡ−３５００Ａ（マイクロトラック・ベル株式会社製）を用いることができる。
【０２１８】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、大便器、便座装置などが備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【０２１９】
１０ トイレ装置、  ５１ 第１吐水部、  ５２ 第２吐水部、  １００ 便座装置、  １１０〜１１３ 流路、  ２００ 着座部、  ２００ａ 開口、  ２０４ 裏面、  ２０４ｅ 外周部、  ２１０ 便座脚部、  ３００ 便蓋、  ４００ ケーシング、  ４０２ 検知センサ、  ４０３ 人体検知センサ、  ４０４ 着座検知センサ、  ４０５ 制御装置、  ４３１ 電磁弁、  ４５０ 除菌装置、  ４７２ 切替弁、  ４７３ 洗浄ノズル、  ４７４ 吐水口、  ４７６ ノズルモータ、  ４７８ ノズル洗浄室、  ４７９ ノズルダンパ、  ４８１ 噴霧装置、  ４８１ａ モータ、  ４８１ｂ ディスク、  ４８１ｃ 給水口、  ４８２ ミストダンパ、  ４９０ パッキン、  ５００ 手動操作部、  ５１１ 便座用モータ、  ５１２ 便蓋用モータ、  ５１３ 送風装置、  ５１４ 温風ヒータ、  ５１５ 便座ヒータ、  ５１６ 送風ダンパ、  ５１６ａ 開口、  ６００ 測定装置、  ６０１ 発光部、  ６０２ 受光部、  ８００ 大便器、  ８０１ ボウル部、  ８０１Ａ 洗浄領域、  ８０１Ｂ 非洗浄領域、  ８０１Ｆ 前端側非洗浄領域、  ８０１ｗ 溜水、  ８０５ リム部、  ８０５Ｂ 棚状部、  ８０６ リム上面、  ８０６ｅ 外周部、  ８０６ｆ 非載置部、  ８０６ｒ 載置部、  ８１０ 領域、  ８１１ 吐水口、  ８２１ 上部領域、  ８２２ 下部領域、  ８２３ アール部、  ８２４ ミストガイド部、  Ｂ１ 底面、  Ｍ、Ｍ１、Ｍ２ ミスト、  Ｓ スリット、  Ｓ１ 上端面、  ＳＦ 旋回流、  ＳＵ 第１測定箇所、  ＳＬ 第２測定箇所、  ＳＰ 隙間、  Ｕ１ 上昇気流、  Ｗ 水、  ＯＢ 噴霧対象物、  ｆ１ 上昇気流、  ｆ２、ｆ３ 気流、  ＷＤ１、ＷＤ２ 水滴、  ＷＦ１、ＷＦ２ 水膜、  θｓ 噴霧角度、  Ｄｓ 噴霧方向
【図１】
2019170525.tif 000003
【図２】
2019170525.tif 000004
【図３】
2019170525.tif 000005
【図４】
2019170525.tif 000006
【図５】
2019170525.tif 000007
【図６】
2019170525.tif 000008
【図７】
2019170525.tif 000009
【図８】
2019170525.tif 000010
【図９】
2019170525.tif 000011
【図１０】
2019170525.tif 000012
【図１１】
2019170525.tif 000013
【図１２】
2019170525.tif 000014
【図１３】
2019170525.tif 000015
【図１４】
2019170525.tif 000016
【図１５】
2019170525.tif 000017
【図１６】
2019170525.tif 000018
【図１７】
2019170525.tif 000019
【図１８】
2019170525.tif 000020
【図１９】
2019170525.tif 000021
【図２０】
2019170525.tif 000022
【図２１】
2019170525.tif 000023
【図２２】
2019170525.tif 000024
【図２３】
2019170525.tif 000025
【図２４】
2019170525.tif 000026
【図２５】
2019170525.tif 000027
【図２６】
2019170525.tif 000028
【図２７】
2019170525.tif 000029
【図２８】
2019170525.tif 000030
【図２９】
2019170525.tif 000031
【図３０】
2019170525.tif 000032
【図３１】
2019170525.tif 000033
【図３２】
2019170525.tif 000034
【図３３】
2019170525.tif 000035
【図３４】
2019170525.tif 000036